(57)【要約】  外科用器具（２１０）は、シャフトアセンブリ（２１２）と、関節運動制御アセンブリ（２１８）とを備える。シャフトアセンブリ（２１２）は、長手方向軸から遠位端部を偏向させるように構成されている関節運動部（１３０）を含む。関節運動制御アセンブリ（２１８）は、関節運動制御部材（２２２）と、伝送アセンブリ（２２６、４２６、７２６）とを含む。関節運動制御部材（２２２）は、シャフトアセンブリ（２１２、２１４、２１６、３０、７１２）に対して回転可能に取り付けられる。伝送アセンブリ（２２６）は、関節運動制御部材（２２２）とシャフトアセンブリ（２１２）の関節運動部（１３０）との間に動作可能に接続される。伝送アセンブリ（２２６）は、関節運動制御部材（２２２）の選択的操作を関節運動部（１３０）に伝送して、関節運動部（１３０）を選択的に作動させるように構成されている。関節運動制御アセンブリ（２１８）は、関節運動制御部材（２２２）の選択的操作がなければロックして関節運動部（１３０）の作動を阻害し、関節運動制御部材（２２２）が選択的に操作されるとロック解除して関節運動部を作動させるように構成される。
2019513511.tif 000002
【特許請求の範囲】
【請求項１】
（ａ）長手方向軸を画定するシャフトアセンブリであって、
（ｉ）近位端部と、
（ｉｉ）エンドエフェクタを収容するように構成されている遠位端部と、
（ｉｉｉ）前記長手方向軸から前記遠位端部を偏向させるように構成されている関節運動部と、を有する
シャフトアセンブリと、
（ｂ）前記シャフトアセンブリの前記近位端部に接続された関節運動制御アセンブリであって、
（ｉ）前記シャフトアセンブリに対して回転可能に取り付けられ、操作者により選択的に操作されるように構成されている関節運動制御部材と、
（ｉｉ）前記関節運動制御部材と前記シャフトアセンブリの前記関節運動部との間に動作可能に接続され、前記関節運動制御部材の選択的操作を前記関節運動部に伝送して、前記関節運動部を選択的に作動させるように構成されている、伝送アセンブリと、を有する
関節運動制御アセンブリと、を備え、
前記関節運動制御アセンブリは、前記関節運動制御部材の選択的操作がなければロックして前記関節運動部の作動を阻害し、前記関節運動制御部材が選択的に操作されるとロック解除して前記関節運動部を作動させるように構成されている、外科用器具。
【請求項２】
前記伝送アセンブリは、
（Ａ）駆動ギアであって、前記関節運動制御部材が前記駆動ギアを回転させるように回転可能となるように、前記関節運動制御部材に対して固定された駆動ギアと、
（Ｂ）前記駆動ギアに係合され、前記関節運動部に動作可能に接続されて、前記関節運動部を選択的に作動させるように前記伝送アセンブリの残部に前記駆動ギアの回転を伝送するように構成されている従動ギアと、を更に有する、請求項１に記載の外科用器具。
【請求項３】
前記駆動ギアはベベル駆動ギアの形態をとり、前記従動ギアはベベル従動ギアの形態をとる、請求項２に記載の外科用器具。
【請求項４】
前記ベベル駆動ギアは、前記シャフトアセンブリの前記長手方向軸に交差する軸を中心に回転するように構成され、前記ベベル従動ギアは前記シャフトアセンブリの前記長手方向軸を中心に回転するように構成されている、請求項３に記載の外科用器具。
【請求項５】
前記伝送アセンブリは、
（Ａ）前記長手方向軸を中心に回転するように構成され、前記長手方向軸を中心として設けられた複数の内側ネジ山を有するドラムと、
（Ｂ）前記複数の内側ネジ山に係合され、前記ドラムが回転すると、前記関節運動部が作動するように、前記長手方向軸に沿って並進するように構成されている、少なくとも１つの親ネジと、を更に有し、
前記ベベル従動ギアは、前記関節運動制御が前記ドラムを回転させるように回転可能となるように、前記ドラムに設置されている、
請求項４に記載の外科用器具。
【請求項６】
前記少なくとも１つの親ネジは、前記関節運動制御部材が選択的に操作されていないときにはロックして、前記関節運動部の作動を阻害し、前記関節運動制御部材が選択的に操作されるとロック解除して前記関節運動部を作動させるように構成されている、請求項５に記載の外科用器具。
【請求項７】
前記関節運動制御部材は前記伝送アセンブリに対して弾性的に取り付けられて、関節運動ロック状態から関節運動ロック解除状態へと操作されることで前記関節運動制御アセンブリをそれぞれロック及びロック解除するように構成され、
前記関節運動制御部材は、前記関節運動ロック状態に向かって付勢されている、
請求項１に記載の外科用器具。
【請求項８】
前記関節運動制御部材は、駆動シャフトを介して駆動ギアに固定され、前記駆動シャフトは、前記関節運動ロック状態から、前記関節運動ロック解除状態へと弾性的に偏向するように構成されている、請求項７に記載の外科用器具。
【請求項９】
前記伝送アセンブリは駆動ギアを有し、前記関節運動制御部材は前記関節運動ロック状態から前記関節運動ロック解除状態へと並進するように構成され、前記関節運動制御部材は、前記関節運動ロック解除状態では前記駆動ギアから係合解除され、前記関節運動制御部材は、前記関節運動ロック解除状態では前記駆動ギアと係合する、請求項７に記載の外科用器具。
【請求項１０】
少なくとも１つの固定歯を有するハンドルアセンブリを更に備え、
前記関節運動制御部材は少なくとも１つの別の固定歯を有し、
前記固定歯は、前記関節運動ロック状態で係合して前記関節運動制御部材の前記ハンドルアセンブリに対する回転を阻害し、
前記固定歯は、前記関節運動ロック解除状態において係合解除され、前記関節運動制御部材の前記ハンドルアセンブリに対する回転を提供する、
請求項７に記載の外科用器具。
【請求項１１】
前記伝送アセンブリは、関節運動体を更に有し、
前記関節運動体は、弾性的に取り付けられ、関節運動ロック状態から関節運動ロック解除状態に移動して前記関節運動制御アセンブリをそれぞれロック及びロック解除するように構成され、
前記関節運動体は、前記関節運動ロック状態に付勢されている、
請求項１に記載の外科用器具。
【請求項１２】
前記関節運動制御部材は、前記関節運動体内に螺合されるネジ山付き駆動シャフトを有し、前記関節運動体は、前記関節運動制御部材と前記ネジ山付き駆動シャフトが選択的に回転すると、横方向軸に沿って移動して、前記関節運動部を作動させるように構成されている、請求項１１に記載の外科用器具。
【請求項１３】
前記伝送アセンブリは、第１の位置と第２の位置との間で選択的に移動するように構成されたロック部材を更に有し、前記ロック部材は前記第１の位置において、前記関節運動体を前記関節運動ロック状態に付勢可能とし、前記ロック部材は前記第２の位置において、前記関節運動体を前記関節運動ロック解除状態に動かす、請求項１２に記載の外科用器具。
【請求項１４】
前記関節運動制御部材は、遠位位置と近位位置との間で操作されるように構成され、
前記伝送アセンブリは、
（Ａ）前記関節運動制御部材に固定された駆動ギアと、
（Ｂ）前記関節運動体に、ネジ山付き駆動シャフトを介して回転可能に接続された従動ギアであって、前記従動ギアと前記ネジ山付き駆動シャフトとが選択的に回転されると、前記関節運動体が横方向軸に沿って移動して、前記関節運動部を作動させるように構成されている、従動ギアと、
（Ｃ）前記関節運動制御部材を前記関節運動体に動作可能に結合させる結合部材とを更に有し、
前記関節運動制御部材は、前記関節運動ロック状態において、前記結合部材を介して前記遠位位置に付勢され、
前記関節運動制御部材を前記近位位置に選択的に動かすことは、前記関節運動体を、前記結合部材を介して前記関節運動ロック解除状態に誘導するように構成されたものであり、
前記駆動ギアは、前記関節運動制御部材が前記遠位位置にあるときに前記従動ギアから係合解除され、
前記駆動ギアは、前記関節運動制御部材が前記近位位置にあるときに前記従動ギアに係合される、
請求項１１に記載の外科用器具。
【請求項１５】
（ａ）ハンドルアセンブリであって、前記シャフトアセンブリが前記ハンドルアセンブリから遠位側へと延在し、前記ハンドルアセンブリに対して、前記長手方向軸を中心に回転するように構成されている、ハンドルアセンブリと、
（ｂ）前記シャフトアセンブリに接続されている回転制御アセンブリであって、
（ｉ）前記シャフトアセンブリに接続され、前記長手方向軸に沿って延在し、前記長手方向軸を中心に選択的に回転されることで、前記シャフトアセンブリを前記長手方向軸を中心に回転させるように構成されている、回転制御部材と、
（ｉｉ）前記シャフトアセンブリに動作可能に接続され、回転ロック状態と、回転ロック解除状態との間で選択的に移動するように構成され、前記回転ロック状態に向かって付勢され、前記回転ロック状態においては前記ハンドルアセンブリに対する前記シャフトアセンブリの回転を阻害するように構成され、前記回転ロック解除状態では、前記回転制御部材を介し、前記ハンドルアセンブリに対して前記シャフトアセンブリを回転可能とする、回転ロックと、を有する回転制御アセンブリと、を更に備える、請求項１に記載の外科用器具。
【請求項１６】
（ａ）ハンドルアセンブリと、
（ｂ）長手方向軸を画定し、前記ハンドルアセンブリから遠位側に延在するシャフトアセンブリであって、
（ｉ）近位端部と、
（ｉｉ）エンドエフェクタを収容するように構成されている遠位端部と、を有するシャフトアセンブリと、
（ｃ）前記シャフトアセンブリに接続される回転制御アセンブリであって、
（ｉ）前記シャフトアセンブリに接続され、前記長手方向軸に沿って延在し、前記長手方向軸を中心に選択的に回転されることで、前記シャフトアセンブリを前記長手方向軸を中心に回転させるように構成されている、回転制御部材と、
（ｉｉ）前記シャフトアセンブリに動作可能に接続され、回転ロック状態と、回転ロック解除状態との間で選択的に移動するように構成され、前記回転ロック状態に向かって付勢され、前記回転ロック状態においては前記ハンドルアセンブリに対する前記シャフトアセンブリの回転を阻害するように構成され、前記回転ロック解除状態では、前記回転制御部材を介し、前記ハンドルアセンブリに対して前記シャフトアセンブリを回転可能とする、回転ロックと、を有する回転制御アセンブリと、を備える、外科用器具。
【請求項１７】
前記回転ロックは、前記回転制御部材を貫通して延在し、前記回転制御アセンブリを選択的に前記回転ロック状態から前記回転ロック解除状態に誘導するように前記長手方向軸に向かって押し込まれるように構成されている、少なくとも１つのボタンを更に有する、請求項１６に記載の外科用器具。
【請求項１８】
前記少なくとも１つのボタンは、前記回転制御部材を貫通して延在し、前記長手方向軸の周りに傾斜して配置される複数のボタンを含み、前記ボタンはそれぞれ、前記回転制御アセンブリを選択的に前記回転ロック状態から前記回転ロック解除状態に誘導するように前記長手方向軸に向かって押し込まれるように構成されている、請求項１７に記載の外科用器具。
【請求項１９】
前記回転制御アセンブリは、前記回転制御部材と前記シャフトアセンブリとの間に、前記長手方向軸を中心に配置される環状ロックリングを更に有し、前記環状ロックリングは前記回転ロック状態に付勢されて、前記回転制御部材と、前記ハンドルアセンブリにそれぞれ係合して前記ハンドルアセンブリに対する前記シャフトアセンブリの回転を阻害し、前記少なくとも１つのボタンは、前記環状を、前記回転制御部材と前記ハンドルアセンブリとの内の少なくとも一方から係合解除するように動かせて、前記回転制御部材を介して、前記ハンドルアセンブリに対して前記シャフトアセンブリを回転可能とするように動作可能である、請求項１７に記載の外科用器具。
【請求項２０】
（ａ）長手方向軸を画定し、前記ハンドルアセンブリから遠位側に延在するシャフトアセンブリであって、
（ｉ）近位端部と、
（ｉｉ）エンドエフェクタを収容するように構成されている遠位端部と、
（ｉｉｉ）前記長手方向軸から前記遠位端部を偏向させるように構成されている関節運動部と、を有するシャフトアセンブリと、
（ｂ）前記シャフトアセンブリの前記近位端部に接続された関節運動制御アセンブリであって、
（ｉ）前記シャフトアセンブリに対して回転可能に取り付けられ、操作者により選択的に操作されるように構成されている関節運動制御部材と、
（ｉｉ）前記関節運動制御部材と前記シャフトアセンブリの前記関節運動部との間に動作可能に接続され、前記関節運動制御部材の選択的操作を前記関節運動部に伝送して、前記関節運動部を選択的に作動させるように構成されている伝送アセンブリと、を有する
関節運動制御アセンブリと、を備え、
前記伝送アセンブリは、
（Ａ）ベベル駆動ギアであって、前記関節運動制御部材が前記ベベル駆動ギアを回転させるように回転可能となるように、前記関節運動制御部材に対して固定されたベベル駆動ギアと、
（Ｂ）前記ベベル駆動ギアに係合され、前記関節運動部に動作可能に接続されて、前記関節運動部を選択的に作動させるように前記伝送アセンブリの残部に前記ベベル駆動ギアの回転を伝送するように構成されているベベル従動ギアと、を有する、外科用器具。
【発明の詳細な説明】
【背景技術】
【０００１】
様々な外科用器具が、組織を（例えば、組織細胞内のタンパク質を変性させることにより）切断及び／又は封着するための超音波周波で振動するブレード要素を有するエンドエフェクタを含む。これらの器具は、電力を超音波振動に変換する圧電素子を含んでおり、これらの振動は音響導波管に沿ってブレード要素に伝達される。切断及び凝固の精度は、外科医の技術、かつ電力レベル、ブレードエッジ、組織引張、及びブレード圧力を調節することによって制御され得る。
【０００２】
超音波外科用器具の例としては、ＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及びＨＡＲＭＯＮＩＣ  ＳＹＮＥＲＧＹ（登録商標）Ｕｌｔｒａｓｏｎｉｃ  Ｂｌａｄｅｓが挙げられ、これらはいずれもＥｔｈｉｃｏｎ  Ｅｎｄｏ−Ｓｕｒｇｅｒｙ，Ｉｎｃ．（Ｃｉｎｃｉｎｎａｔｉ，Ｏｈｉｏ）製である。このような装置及び関連する概念の更なる例は、その開示が本明細書に参照により組み込まれる、１９９４年６月２１日発行の「Ｃｌａｍｐ  Ｃｏａｇｕｌａｔｏｒ／Ｃｕｔｔｉｎｇ  Ｓｙｓｔｅｍ  ｆｏｒ  Ｕｌｔｒａｓｏｎｉｃ  Ｓｕｒｇｉｃａｌ  Ｉｎｓｔｒｕｍｅｎｔｓ」と題された米国特許第５，３２２，０５５号、その開示が本明細書に参照により組み込まれる、１９９９年２月２３日発行の「Ｕｌｔｒａｓｏｎｉｃ  Ｃｌａｍｐ  Ｃｏａｇｕｌａｔｏｒ  Ａｐｐａｒａｔｕｓ  Ｈａｖｉｎｇ  Ｉｍｐｒｏｖｅｄ  Ｃｌａｍｐ  Ｍｅｃｈａｎｉｓｍ」と題された米国特許第５，８７３，８７３号、その開示が参照により本明細書に組み込まれる、１９９７年１０月１０日出願の「Ｕｌｔｒａｓｏｎｉｃ  Ｃｌａｍｐ  Ｃｏａｇｕｌａｔｏｒ  Ａｐｐａｒａｔｕｓ  Ｈａｖｉｎｇ  Ｉｍｐｒｏｖｅｄ  Ｃｌａｍｐ  Ａｒｍ  Ｐｉｖｏｔ  Ｍｏｕｎｔ」と題された米国特許第５，９８０，５１０号、その開示が本明細書に参照により組み込まれる、２００１年１２月４日発行の「Ｂｌａｄｅｓ  ｗｉｔｈ  Ｆｕｎｃｔｉｏｎａｌ  Ｂａｌａｎｃｅ  Ａｓｙｍｍｅｔｒｉｅｓ  ｆｏｒ  ｕｓｅ  ｗｉｔｈ  Ｕｌｔｒａｓｏｎｉｃ  Ｓｕｒｇｉｃａｌ  Ｉｎｓｔｒｕｍｅｎｔｓ」と題された米国特許第６，３２５，８１１号、その開示が本明細書に参照により組み込まれる、２００４年８月１０日発行の「Ｂｌａｄｅｓ  ｗｉｔｈ  Ｆｕｎｃｔｉｏｎａｌ  Ｂａｌａｎｃｅ  Ａｓｙｍｍｅｔｒｉｅｓ  ｆｏｒ  Ｕｓｅ  ｗｉｔｈ  Ｕｌｔｒａｓｏｎｉｃ  Ｓｕｒｇｉｃａｌ  Ｉｎｓｔｒｕｍｅｎｔｓ」と題された米国特許第６，７７３，４４４号、その開示が本明細書に参考として組み込まれる、２００４年８月３１日発行の「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」と題された米国特許第６，７８３，５２４号、その開示が本明細書に参照により組み込まれる、２０１３年６月１１日発行の「Ｒｏｔａｔｉｎｇ  Ｔｒａｎｓｄｕｃｅｒ  Ｍｏｕｎｔ  ｆｏｒ  Ｕｌｔｒａｓｏｎｉｃ  Ｓｕｒｇｉｃａｌ  Ｉｎｓｔｒｕｍｅｎｔｓ」と題された米国特許第８，４６１，７４４号、その開示が参照により本願に組み込まれる、２０１３年１１月２６日発行の「Ｕｌｔｒａｓｏｎｉｃ  Ｓｕｒｇｉｃａｌ  Ｉｎｓｔｒｕｍｅｎｔ  Ｂｌａｄｅｓ」と題された米国特許第８，５９１，５３６号、及びその開示が参照により本願に組み込まれる、２０１４年１月７日発行の「Ｅｒｇｏｎｏｍｉｃ  Ｓｕｒｇｉｃａｌ  Ｉｎｓｔｒｕｍｅｎｔｓ」と題された米国特許第８，６２３，０２７号に開示されている。
【０００３】
超音波外科用器具のなお更なる例が、その開示が参照により本明細書に組み込まれる、２００６年４月１３日公開の「Ｔｉｓｓｕｅ  Ｐａｄ  ｆｏｒ  Ｕｓｅ  ｗｉｔｈ  ａｎ  Ｕｌｔｒａｓｏｎｉｃ  Ｓｕｒｇｉｃａｌ  Ｉｎｓｔｒｕｍｅｎｔ」と題された米国特許出願公開第２００６／００７９８７４号、その開示が参照により本明細書に組み込まれる、２００７年８月１６日公開の「Ｕｌｔｒａｓｏｎｉｃ  Ｄｅｖｉｃｅ  ｆｏｒ  Ｃｕｔｔｉｎｇ  ａｎｄ  Ｃｏａｇｕｌａｔｉｎｇ」と題された米国特許出願公開第２００７／０１９１７１３号、その開示が参照により本明細書に組み込まれる、２００７年１２月６日公開の「Ｕｌｔｒａｓｏｎｉｃ  Ｗａｖｅｇｕｉｄｅ  ａｎｄ  Ｂｌａｄｅ」と題された米国特許出願公開第２００７／０２８２３３３号、その開示が参照により本明細書に組み込まれる、２００８年８月２１日公開の「Ｕｌｔｒａｓｏｎｉｃ  Ｄｅｖｉｃｅ  ｆｏｒ  Ｃｕｔｔｉｎｇ  ａｎｄ  Ｃｏａｇｕｌａｔｉｎｇ」と題された米国特許公開第２００８／０２００９４０号、及び、その開示が参照により本明細書に組み込まれる、２０１０年３月１８日公開の「Ｕｌｔｒａｓｏｎｉｃ  Ｄｅｖｉｃｅ  ｆｏｒ  Ｆｉｎｇｅｒｔｉｐ  Ｃｏｎｔｒｏｌ」と題された米国特許出願公開第２０１０／００６９９４０号に開示されている。
【０００４】
一部の超音波外科器具は、その開示が参照により本明細書に組み込まれる、２０１２年５月１０日公開の「Ｒｅｃｈａｒｇｅ  Ｓｙｓｔｅｍ  ｆｏｒ  Ｍｅｄｉｃａｌ  Ｄｅｖｉｃｅｓ」と題された米国特許出願公開第２０１２／０１１２６８７号、その開示が参照により本明細書に組み込まれる、２０１２年５月１０日公開の「Ｓｕｒｇｉｃａｌ  Ｉｎｓｔｒｕｍｅｎｔ  ｗｉｔｈ  Ｃｈａｒｇｉｎｇ  Ｄｅｖｉｃｅｓ」と題された米国特許出願公開第２０１２／０１１６２６５号、及び／又はその開示が本明細書に参照により組み込まれる、２０１０年１１月５日出願の「Ｅｎｅｒｇｙ−Ｂａｓｅｄ  Ｓｕｒｇｉｃａｌ  Ｉｎｓｔｒｕｍｅｎｔｓ」と題された米国特許出願第６１／４１０，６０３号に開示されているもののような、コードレス変換器を含んでよい。
【０００５】
加えて、一部の超音波外科用器具は、関節運動シャフト部及び／又は屈曲性超音波導波管を含み得る。かかる超音波外科用器具の例は、その開示が参照により本願に組み込まれる、１９９９年４月２７日発行の「Ａｒｔｉｃｕｌａｔｉｎｇ  Ｕｌｔｒａｓｏｎｉｃ  Ｓｕｒｇｉｃａｌ  Ｉｎｓｔｒｕｍｅｎｔ」と題された米国特許第５，８９７，５２３号、その開示が参照により本願に組み込まれる、１９９９年１１月２３日発行の「Ｕｌｔｒａｓｏｎｉｃ  Ｐｏｌｙｐ  Ｓｎａｒｅ」と題された米国特許第５，９８９，２６４号、その開示が参照により本願に組み込まれる、２０００年５月１６日発行の「Ａｒｔｉｃｕｌａｂｌｅ  Ｕｌｔｒａｓｏｎｉｃ  Ｓｕｒｇｉｃａｌ  Ａｐｐａｒａｔｕｓ」と題された米国特許第６，０６３，０９８号、その開示が参照により本願に組み込まれる、２０００年７月１８日発行の「Ａｒｔｉｃｕｌａｔｉｎｇ  Ｕｌｔｒａｓｏｎｉｃ  Ｓｕｒｇｉｃａｌ  Ｉｎｓｔｒｕｍｅｎｔ」と題された米国特許第６，０９０，１２０号、その開示が参照により本願に組み込まれる、２００２年９月２４日発行の「Ａｃｔｕａｔｉｏｎ  Ｍｅｃｈａｎｉｓｍ  ｆｏｒ  Ｓｕｒｇｉｃａｌ  Ｉｎｓｔｒｕｍｅｎｔｓ」と題された米国特許第６，４５４，７８２号、その開示が参照により本願に組み込まれる、２００３年７月８日発行の「Ａｒｔｉｃｕｌａｔｉｎｇ  Ｕｌｔｒａｓｏｎｉｃ  Ｓｕｒｇｉｃａｌ  Ｓｈｅａｒｓ」と題された米国特許第６，５８９，２００号、その開示が参照により本願に組み込まれる、２００４年６月２２日発行の「Ｍｅｔｈｏｄ  ａｎｄ  Ｗａｖｅｇｕｉｄｅｓ  ｆｏｒ  Ｃｈａｎｇｉｎｇ  ｔｈｅ  Ｄｉｒｅｃｔｉｏｎ  ｏｆ  Ｌｏｎｇｉｔｕｄｉｎａｌ  Ｖｉｂｒａｔｉｏｎｓ」と題された米国特許第６，７５２，８１５号、２００６年１１月１４日発行の「Ａｒｔｉｃｕｌａｔｉｎｇ  Ｕｌｔｒａｓｏｎｉｃ  Ｓｕｒｇｉｃａｌ  Ｓｈｅａｒｓ」と題された米国特許第７，１３５，０３０号、その開示が参照により本願に組み込まれる、２００９年１１月２４日発行の「Ｕｌｔｒａｓｏｕｎｄ  Ｍｅｄｉｃａｌ  Ｉｎｓｔｒｕｍｅｎｔ  Ｈａｖｉｎｇ  ａ  Ｍｅｄｉｃａｌ  Ｕｌｔｒａｓｏｎｉｃ  Ｂｌａｄｅ」と題された米国特許第７，６２１，９３０号、その開示が参照により本明細書に組み込まれる２０１４年１月２日公開の「Ｓｕｒｇｉｃａｌ  Ｉｎｓｔｒｕｍｅｎｔｓ  ｗｉｔｈ  Ａｒｔｉｃｕｌａｔｉｎｇ  Ｓｈａｆｔｓ」と題された米国特許出願公開第２０１４／０００５７０１号、その開示が参照により本明細書に組み込まれる、２０１４年１月２日公開の、「Ｓｕｒｇｉｃａｌ  Ｉｎｓｔｒｕｍｅｎｔｓ  ｗｉｔｈ  Ａｒｔｉｃｕｌａｔｉｎｇ  Ｓｈａｆｔｓ」と題された米国特許出願公開第２０１４／００５７０３号、その開示が参照により本明細書に組み込まれる、２０１４年４月２４日公開の「Ｆｌｅｘｉｂｌｅ  Ｈａｒｍｏｎｉｃ  Ｗａｖｅｇｕｉｄｅｓ／Ｂｌａｄｅｓ  ｆｏｒ  Ｓｕｒｇｉｃａｌ  Ｉｎｓｔｒｕｍｅｎｔｓ」と題された米国特許出願公開第２０１４／０１１４３３４号、その開示が参照により本明細書に組み込まれる、２０１５年３月１９日公開の「Ａｒｔｉｃｕｌａｔｉｏｎ  Ｆｅａｔｕｒｅｓ  ｆｏｒ  Ｕｌｔｒａｓｏｎｉｃ  Ｓｕｒｇｉｃａｌ  Ｉｎｓ���ｒｕｍｅｎｔ」と題された米国特許出願公開第２０１５／００８０９２４号、及び、その開示が参照により本明細書に組み込まれる、２０１４年４月２２日出願の「Ｕｌｔｒａｓｏｎｉｃ  Ｓｕｒｇｉｃａｌ  Ｄｅｖｉｃｅ  ｗｉｔｈ  Ａｒｔｉｃｕｌａｔｉｎｇ  Ｅｎｄ  Ｅｆｆｅｃｔｏｒ」と題された米国特許出願第１４／２５８，１７９号に開示されている。
【０００６】
いくつかの外科用器具及びシステムが作製され使用されてきたが、本発明者らよりも以前に、添付の特許請求の範囲に記載する本発明を作製又は使用したものは存在しない、と考えられている。
【図面の簡単な説明】
【０００７】
本明細書は、本技術を具体的に指摘し、かつ明確にその権利を特許請求する、特許請求の範囲により完結するが、本技術は、以下の特定の実施例の説明を添付図面と併せ読むことでより良く理解されるものと考えられ、図面において同様の参照符号は同じ要素を特定する。
【図１】第１の例示的な超音波外科用器具の側面立面図である。
【図２】図１の外科用器具のシャフトアセンブリ及びエンドエフェクタの関節運動部の斜視図である。
【図３】図２のシャフトアセンブリの関節運動部の分解斜視図である。
【図４】図２のシャフトアセンブリ及びエンドエフェクタの断面側面図である。
【図５】図２のシャフトアセンブリ及びエンドエフェクタの平面図である。
【図６Ａ】真っ直ぐな構成の図２のシャフトアセンブリ及びエンドエフェクタの断面平面図である。
【図６Ｂ】関節運動した構成にある図２のシャフトアセンブリ及びエンドエフェクタの断面平面図である。
【図７】図２のシャフトアセンブリ及びエンドエフェクタの部分分解斜視図である。
【図８】図２のシャフトアセンブリの遠位カラー及び駆動ケーブルの斜視図である。
【図９】図１の器具のシャフト制御アセンブリの部分分解斜視図である。
【図１０Ａ】図２のエンドエフェクタ及びシャフトアセンブリの遠位部分の側面立面図であって、エンドエフェクタのクランプアームは閉鎖位置にあり、外部シース内の構成要素を明らかにするために外部シースを断面図で示している。
【図１０Ｂ】クランプアームが完全開放位置に移動している、図１０Ａのシャフトアセンブリ及びエンドエフェクタの側面立面図である。
【図１１】シャフト制御アセンブリを有する第２の例示的な超音波外科用器具の側面立面図である。
【図１２】図１１の外科用器具の斜視図である。
【図１３】明瞭化のために様々な構成部品を省略している、図１１の外科用器具の斜視図である。
【図１４】図１１の外科用器具のシャフト制御アセンブリの正面斜視図である。
【図１５】図１４のシャフト制御アセンブリの後面斜視図である。
【図１６】図１４のシャフト制御アセンブリの部分分解正面斜視図である。
【図１７】図１４のシャフト制御アセンブリの駆動ハウジングの後面斜視図である。
【図１８】図１４のシャフト制御アセンブリの関節運動制御ノブの分解斜視図である。
【図１９】図１４のシャフト制御アセンブリの親ネジの分解正面斜視図である。
【図２０】図１４のシャフト制御アセンブリの別の親ネジの分解後面斜視図である。
【図２１Ａ】シャフトアセンブリが真っ直ぐな構成となるようにシャフト制御アセンブリを真っ直ぐな位置に配置している、図１２の切断線２１Ａ−２１Ａに沿ってとられた、図１１の超音波外科用器具の拡大断面図である。
【図２１Ｂ】シャフトアセンブリが右側に関節運動されるようにシャフト制御アセンブリを右側に配置している、図１２の切断線２１Ａ−２１Ａに沿ってとられた、図１１の超音波外科用器具の拡大断面図である。
【図２１Ｃ】シャフトアセンブリが左側に関節運動されるようにシャフト制御アセンブリを左側に配置している、図１２の切断線２１Ａ−２１Ａに沿ってとられた、図１１の超音波外科用器具の拡大断面図である。
【図２２Ａ】関節運動ロック位置にあるシャフト制御アセンブリを有する第３の例示的な超音波外科用器具の拡大側面断面図である。
【図２２Ｂ】関節運動ロック解除位置にあるシャフト制御アセンブリを有する図２２Ａの外科用器具の拡大側面断面図である。
【図２３Ａ】関節運動ロック位置にあるシャフト制御アセンブリを有する、図２２Ａの切断線２３Ａ−２３Ａに沿ってとられた、図２２Ａの外科用器具の拡大断面図である。
【図２３Ｂ】関節運動ロック解除位置にあるシャフト制御アセンブリを有する、図２２Ｂの切断線２３Ｂ−２３Ｂに沿ってとられた、図２２Ｂの外科用器具の拡大断面図である。
【図２４Ａ】関節運動ロック位置にあるシャフト制御アセンブリを有する第４の例示的な超音波外科用器具の拡大側面断面図である。
【図２４Ｂ】関節運動ロック解除位置にあるシャフト制御アセンブリを有する図２４Ａの外科用器具の拡大側面断面図である。
【図２５】ロック可能回転制御ノブを有するシャフト制御アセンブリを有する第５の例示的な超音波外科用器具の正面斜視図である。
【図２６】図２５の外科用器具の部分分解正面斜視図である。
【図２７】図２５のロック可能回転制御ノブの拡大部分分解後面斜視図である。
【図２８】図２５の外科用器具の側面立面図である。
【図２９】図２８の切断線２９−２９に沿ってとられた、図２５の外科用器具の拡大断面図である。
【図３０Ａ】ロック回転位置にあるロック可能回転制御ノブを有する、図２９の切断線３０Ａ−３０Ａに沿ってとられた、図２５のロック可能回転制御ノブの後面斜視断面図である。
【図３０Ｂ】ロック解除回転位置にあるロック可能回転制御ノブを有する、図２９の切断線３０Ａ−３０Ａに沿ってとられた、図２５のロック可能回転制御ノブの後面斜視断面図である。
【図３１Ａ】シャフトアセンブリが真っ直ぐな構成となるようにシャフト制御アセンブリを真っ直ぐな位置に配置し、明瞭化のために様々な構成部品を省略している、第６の例示的な超音波外科用器具の拡大正面斜視図である。
【図３１Ｂ】シャフトアセンブリが右側に関節運動されるようにシャフト制御アセンブリを右側に配置している、図３１Ａの外科用器具の正面斜視図である。
【図３１Ｃ】シャフトアセンブリが左側に関節運動されるようにシャフト制御アセンブリを左側に配置している、図３１Ａの外科用器具の正面斜視図である。
【図３２Ａ】関節運動ロック位置にあるシャフト制御アセンブリを有する、図３１Ａの外科用器具の側面断面図である。
【図３２Ｂ】関節運動ロック解除位置にあるシャフト制御アセンブリを有する、図３１Ａの外科用器具の側面断面図である。
【図３３Ａ】関節運動ロック位置にあるシャフト制御アセンブリを有する、第７の例示的な超音波外科用器具の拡大側面断面図である。
【図３３Ｂ】関節運動ロック解除位置にあるシャフト制御アセンブリを有する、図３３Ａの外科用器具の拡大側面断面図である。
【図３４Ａ】真っ直ぐな構成の例示的な関節運動制御ロックの上面図である。
【図３４Ｂ】関節運動制御ロックが右側の構成にある、図３４Ａの関節運動制御ロックの上面図である。
【図３４Ｃ】関節運動制御ロックが左側の構成にある、図３４Ａの関節運動制御ロックの上面図を示す。
【０００８】
図面は、いかなる方式でも限定することを意図しておらず、本技術の種々の実施形態は、図面に必ずしも描写されていないものを含め、その他の様々な方式で実施し得ることが考えられる。本明細書に組み込まれ、本明細書の一部を成す添付の図面は、本技術のいくつかの態様を示しており、その説明と共に本技術の原理を説明するのに役立つものであるが、本技術は、示される厳密な配置構成に限定されないことが理解される。
【発明を実施するための形態】
【０００９】
本技術の特定の実施例の以下の説明文は、その範囲を限定する目的で用いられるべきではない。本技術の他の実施例、特徴、態様、実施形態、及び利点は、実例として、本技術を実施する上で想到される最良の態様の１つである以下の説明より、当業者には明らかとなるであろう。理解されるように、本明細書に記載された技術は、いずれもその技術から逸脱することなく、その他の異なる、かつ明らかな態様が可能である。したがって、図面及び説明は、限定的な性質のものではなく、例示的な性質のものと見なされるべきである。
【００１０】
本明細書に記載された教示、表現、実施形態、実施例などの任意の１つ以上のものを、本明細書に記載された他の教示、表現、実施形態、実施例などの任意の１つ以上のものと組み合わせることができる点も、更に理解されよう。したがって、以下に記載された教示、表現、実施形態、実施例などは、互いに対して個別に考慮されるべきではない。本明細書の教示に照らして、本明細書の教示を組み合わせることができる種々の好適な方法が、当業者には直ちに明らかとなろう。このような改変及び変形形態は、「特許請求の範囲」内に含まれるものとする。
【００１１】
本開示の明瞭さのために、「近位」、「遠位」、「上」、「下」という用語は、本明細書では、人間又はロボットである外科用器具の操作者に対して定義される。用語「近位」とは、人間又はロボットである外科用器具の操作者により近く、かつ、外科用器具の外科用エンドエフェクタから更に離れた要素の位置を意味する。用語「遠位」とは、外科用器具の外科用エンドエフェクタにより近く、かつ、人間又はロボットである外科用器具の操作者から更に離れた要素の位置を意味する。このように、「近位」、「遠位」、「上」、「下」は相対位置を表わすもので、本明細書に記載されている発明を不必要に限定することを意図したものではない。
【００１２】
Ｉ．例示的な超音波外科用器具
図１は、例示的な超音波外科用器具（１０）を示す。器具（１０）の少なくとも一部は、本明細書で引用する種々の特許、特許出願公開、及び特許出願の内のいずれかの教示の少なくともいくつかに従って、構築され得、かつ作動可能であり得る。本明細書に記載されるように、また以下にて更に詳細に記載するように、器具（１０）は、実質的に同時に、組織を切断し、かつ組織（例えば、血管など）を封止又は接合するように操作可能である。
【００１３】
本実施例の器具（１０）は、ハンドルアセンブリ（２０）、シャフトアセンブリ（３０）、及びエンドエフェクタ（４０）を備える。ハンドルアセンブリ（２０）は、ピストルグリップ（２４）及び一対のボタン（２６）を含む本体（２２）を備えている。ハンドルアセンブリ（２０）は、ピストルグリップ（２４）へと向かうように、またそれから離れるように、枢動可能なトリガ（２８）を更に含む。しかし、種々の他の好適な構成が使用され得ることを理解されたい。その他構成としては、はさみグリップ構成などが挙げられるがこれに限定されない。エンドエフェクタ（４０）は、超音波ブレード（１６０）及び枢動クランプアーム（４４）を含む。クランプアーム（４４）はトリガ（２８）と連結し、これにより、クランプアーム（４４）は、ピストルグリップ（２４）へと向かうトリガ（２８）の枢軸回転に対応して、超音波ブレード（１６０）に向かって枢動可能であり、また、クランプアーム（４４）は、ピストルグリップ（２４）から離れるようなトリガ（２８）の枢軸回転に対応して、超音波ブレード（１６０）から離れるように枢動可能となる。クランプアーム（４４）とトリガ（２８）との連結を実現できる種々の好適な手段が、本明細書の教示を考慮することにより当業者に明らかとなるであろう。いくつかの変形形態では、クランプアーム（４４）及び／又はトリガ（２８）を図１に示す開放位置へと一方に付勢するために、１つ以上の弾性部材が使用される。
【００１４】
超音波変換器アセンブリ（１２）は、ハンドルアセンブリ（２０）の本体（２２）から近位側に延出する。トランスデューサアセンブリ（１２）はケーブル（１４）を介してジェネレータ（１６）と連結されて、トランスデューサアセンブリ（１２）はジェネレータ（１６）から電力を受け取る。トランスデューサアセンブリ（１２）の圧電素子は、その電力を超音波振動に変換する。ジェネレータ（１６）は、電源と、トランスデューサアセンブリ（１２）による超音波振動の生成に特に適した電力プロファイルをトランスデューサアセンブリ（１２）に提供するように構成された制御モジュールとを含んでもよい。あくまで一例だが、ジェネレータ（１６）は、Ｅｔｈｉｃｏｎ  Ｅｎｄｏ−Ｓｕｒｇｅｒｙ，Ｉｎｃ．（Ｃｉｎｃｉｎｎａｔｉ，Ｏｈｉｏ）により販売されているＧＥＮ０４、ＧＥＮ１１、又はＧＥＮ３００を含み得る。更に／あるいは、ジェネレータ（１６）は、２０１１年４月１４日公開の「Ｓｕｒｇｉｃａｌ  Ｇｅｎｅｒａｔｏｒ  ｆｏｒ  Ｕｌｔｒａｓｏｎｉｃ  ａｎｄ  Ｅｌｅｃｔｒｏｓｕｒｇｉｃａｌ  Ｄｅｖｉｃｅｓ」と題された米国特許出願公開第２０１１／００８７２１２号の教示の少なくともいくつかに従って構築され得る。同文献の開示は、参照により本明細書に組み込まれる。更に、ジェネレータ（１６）の機能の少なくとも一部はハンドルアセンブリ（２０）に組み込まれていてもよく、ハンドルアセンブリ（２０）は更に電池又はその他の内臓電源を含んでもよい。これにより、ケーブル（１４）が省略可能となることが理解されよう。ジェネレータ（１６）が取り得る更にその他の好適な形態、並びにジェネレータ（１６）が提供し得る種々の特徴及び動作性は、本明細書の教示を考慮することにより当業者に明らかとなるであろう。
【００１５】
Ａ．例示的なエンドエフェクタ及び音響ドライブトレーン
図２〜図４に最も良く示すように、本実施例のエンドエフェクタ（４０）は、クランプアーム（４４）と、超音波ブレード（１６０）とを備えている。クランプアーム（４４）は、ブレード（１６０）に対向してクランプアーム（４４）の下側に固定されるクランプパッド（４６）を含む。クランプパッド（４６）は、ポリテトラフルオロエチレン（ＰＴＦＥ）及び／又は任意の他の好適な材料（単数又は複数）を含んでよい。クランプアーム（４４）は、遠位外部シース（３３）の遠位部分内に固定して取り付けられた上部遠位シャフト要素（１７２）の遠位突出舌部（４３）に枢動可能に固定されている。クランプアーム（４４）は、クランプアーム（４４）とブレード（１６０）との間に組織を選択的にクランプするために、ブレード（１６０）に向かって及びブレード（１６０）から離れる方向に選択的に枢動するように動作可能である。一対のアーム（１５６）は、クランプアーム（４４）から横方向に延在し、遠位外部シース（３３）の遠位部分内に摺動可能に設けられた、下部遠位シャフト要素（１７０）に枢動可能に固定されている。
【００１６】
図７〜図８に最も良く示すように、ケーブル（１７４）は、下部遠位シャフト要素（１７０）に固定されている。ケーブル（１７４）は、シャフトアセンブリ（３０）の関節運動部（１３０）に対して長手方向に並進して、クランプアーム（４４）をブレード（１６０）に向かって及びそれから離れて選択的に枢動するように動作可能である。具体的には、ケーブル（１７４）がピストルグリップ（２４）に向かうトリガ（２８）の枢動に応じて近位に並進し、かつこれによりクランプアーム（４４）がピストルグリップ（２４）に向かうトリガ（２８）の枢動に応じてブレード（１６０）に向かって枢動するように、ケーブル（１７４）はトリガ（２８）と連結される。加えて、クランプアーム（４４）がピストルグリップ（２４）から離れるトリガ（２８）の枢動に応じてブレード（１６０）から離れて枢動するように、ケーブル（１７４）は、ピストルグリップ（２４）から離れるトリガ（２８）の枢動に応じて遠位に並進する。クランプアーム（４４）が開放位置に向かって付勢されると、（少なくとも場合によっては）操作者は、トリガ（２８）の把持を解放することによってクランプアーム（４４）を効果的に開くことができる。
【００１７】
図７〜図８で示すように、ケーブル（１７４）は、下部遠位シャフト要素（１７０）の近位端に固定されている。下部遠位シャフト要素（１７０）は、半円形基部（１６８）から延在する１対の遠位フランジ（１７１、１７３）を備えている。フランジ（１７１、１７３）はそれぞれ、対応する開口部（１７５、１７７）を備えている。クランプアーム（４４）は、内方に延在する一対の一体式ピン（４１、４５）を介して、下部遠位シャフト要素（１７０）に回転可能に連結されている。ピン（４１、４５）は、クランプアーム（４４）のアーム（１５６）から内方に延在し、下部遠位シャフト要素（１７０）のそれぞれの開口部（１７５、１７７）内に回転可能に設けられる。図１０Ａ〜図１０Ｂで示すように、ケーブル（１７４）の長手方向の並進は、近位位置（図１０Ａ）と遠位位置（図１０Ｂ）との間での下部遠位シャフト要素（１７０）の長手方向の並進をもたらす。下部遠位シャフト要素（１７０）の長手方向の並進は、閉鎖位置（図１０Ａ）と開放位置（図１０Ｂ）との間でのクランプアーム（４４）の回転をもたらす。
【００１８】
本実施例のブレード（１６０）は、特に組織がクランプパッド（４６）とブレード（１６０）との間で圧縮されているときに組織を効果的に切り開いて封止するために、超音波周波数で振動するように動作可能である。ブレード（１６０）は、音響ドライブトレーンの遠位端に位置付けられる。本音響ドライブトレーンは、変換器アセンブリ（１２）及び音響導波管（１８０）を含む。音響導波管（１８０）は、可撓性部分（１６６）を備える。上述のように、トランスデューサアセンブリ（１２）は、電力を超音波振動に変換し、続いて、これを、既知の構成及び技術に従って、導波管（１８０）の可撓性部分（１６６）を含む導波管（１８０）に沿ってブレード（１６０）に伝達するように動作可能である。あくまで例示的に、音響ドライブトレーンのこの部分は、本明細書に引用される種々の参考文献の種々の教示に従って構成されてよい。
【００１９】
図３に最もよく示すように、導波管（１８０）の可撓性部分（１６６）は、遠位フランジ（１３６）と、近位フランジ（１３８）と、これらフランジ（１３６、１３８）間に位置する狭窄部（１６４）とを含む。本実施例では、フランジ（１３６、１３８）は、導波管（１８０）の可撓性部分（１６６）を介して伝達される共鳴超音波振動に関連した波節に対応する位置に位置する。狭窄部（１６４）は、導波管（１８０）の可撓性部分（１６６）の超音波振動を伝達する能力に大きな影響を与えることなく、導波管（１８０）の可撓性部分（１６６）が屈曲することを可能にするように構成されている。あくまで例示的に、狭窄部（１６４）は、その開示が本明細書において参照により組み込まれる、米国特許出願公開第２０１４／０００５７０１号、及び／又は米国特許出願公開第２０１４／０１１４３３４号の内の１つ以上の教示に従って構成することができる。なお、導波管（１８０）は、導波管（１８０）を通して伝達される機械的振動を増幅するように構成されてよいものと理解されよう。更に、導波管（１８０）は、長手方向の振動の増大を導波管（１８０）に沿って制御するように動作可能な機構、及び／又は導波管（１８０）をシステムの共振周波数に同調させる機構を含んでよい。導波管（１８０）と、トランスデューサアセンブリ（１２）とを機械的かつ音響的に連結し得る種々の好適な方法が、本明細書における教示に基づいて当業者に明らかとなろう。
【００２０】
本実施例では、ブレード（１６０）の遠位端は、音響アセンブリが組織によって荷重をかけられないときに音響アセンブリを好ましい共鳴周波数ｆｏに調整するために、導波管（１８０）の可撓性部分（１６６）を介して伝達される共鳴超音波振動に関連した波腹に対応する位置に位置されている。変換器アセンブリ（１２）が通電されると、ブレード（１６０）の遠位端は、例えば、ピーク間で約１０〜５００マイクロメートル、場合によっては、例えば、５５．５ｋＨｚの所定の振動周波数ｆｏで、約２０〜約２００マイクロメートルの範囲で長手方向に移動するように構成されている。本実施例の変換器アセンブリ（１２）が作動される場合、これらの機械的な振動が導波管（１８０）を通じて伝達されてブレード（１６０）に到達し、それによって、共振超音波周波数でのブレード（１６０）の振動が提供される。このため、ブレード（１６０）とクランプパッド（４６）との間に組織が固定されたとき、ブレード（１６０）の超音波振動が、組織の切断と、隣接した組織細胞内のタンパク質の変性とを同時に行ってもよく、それにより比較的小さい熱拡散で凝固効果が提供される。
【００２１】
いくつかの形態では、エンドエフェクタ（４０）は、超音波エネルギーを組織に印加することに加えて、高周波（ＲＦ）電気外科用エネルギーを組織に加えるように動作可能である。あくまで例示的だが、エンドエフェクタ（４０）は、その開示が参照により本明細書に組み込まれる、２０１５年５月２１日公開の「Ｕｌｔｒａｓｏｎｉｃ  Ｓｕｒｇｉｃａｌ  Ｉｎｓｔｒｕｍｅｎｔ  ｗｉｔｈ  Ｅｌｅｃｔｒｏｓｕｒｇｉｃａｌ  Ｆｅａｔｕｒｅ」と題された米国特許出願公開第２０１５／０１４１９８１号、及びその開示が参照により本明細書に組み込まれる、２０１４年３月４日発行の「Ｕｌｔｒａｓｏｎｉｃ  Ｅｌｅｃｔｒｏｓｕｒｇｉｃａｌ  Ｉｎｓｔｒｕｍｅｎｔｓ」と題された米国特許第８，６６３，２２０号の少なくとも一部における教示に従って構成され、動作可能であってもよい。
【００２２】
音響伝送アセンブリ及びトランスデューサアセンブリ（１２）に関する他の好適な構成が、本明細書の教示に基づいて当業者に明らかとなるであろう。同様に、エンドエフェクタ（４０）のその他の好適な構成も、本明細書の教示に基づいて当業者に明らかとなるであろう。
【００２３】
Ｂ．例示的なシャフトアセンブリ及び関節運動部
本実施例のシャフトアセンブリ（３０）は、ハンドルアセンブリ（２０）から遠位に延在する。図２〜図７で示されるように、シャフトアセンブリ（３０）は、クランプアーム（４４）駆動機構及び上記の音響伝送機構を囲む、遠位外部シース（３３）及び近位外部シース（３２）を含む。シャフトアセンブリ（３０）は、シャフトアセンブリ（３０）の遠位部分に位置する関節運動部（１３０）を更に含み、エンドエフェクタ（４０）は関節運動部（１３０）より遠位に位置する。図１に示すように、回転制御アセンブリ（１０２）は回転制御ノブ（３１）として形成された回転制御部材を有し、当該部材は、近位外部シース（３２）近位部分に固定される。ノブ（３１）は本体（２２）に対して回転可能であるので、シャフトアセンブリ（３０）は、外部シース（３２）によって画定される長手方向軸を中心に、ハンドルアセンブリ（２０）に対して回転可能である。かかる回転により、エンドエフェクタ（４０）、関節運動部（１３０）、及びシャフトアセンブリ（３０）の一体的な回転を提供し得る。当然のことながら、回転可能機構は、所望であれば単純に省略されてもよい。
【００２４】
関節運動部（１３０）は、外部シース（３２）によって画定される長手方向軸に対して種々の横方向偏向角度にてエンドエフェクタ（４０）を選択的に配置するように動作可能である。関節運動部（１３０）は、様々な形態をとることができる。あくまで一例だが、関節運動部（１３０）は、本明細書において参照により組み込まれる米国特許出願公開第２０１２／００７８２４７号の１つ以上の教示に従って構成することができる。別のあくまで例示的な構成では、関節運動部（１３０）は、その開示が本明細書に参照により組み込まれる、米国特許出願公開第２０１４／０００５７０１号、及び／又は米国特許出願公開第２０１４／０１１４３３４号の内の１つ以上の教示に従って構成することができる。関節運動部（１３０）が取り得る種々の他の好適な形態が、本明細書の教示に基づいて当業者に明らかであろう。
【００２５】
図２〜図６Ｂに最もよく示すように、この実施例の関節運動部（１３０）は、１組の３つの保持カラー（１３３）及び一対のリブ付き本体部分（１３２、１３４）を備え、一対の関節運動バンド（１４０、１４２）が、保持カラー（１３３）の内面とリブ付き本体部分（１３２、１３４）の外面との間に画定されるそれぞれのチャネル（１３５、１３７）に沿って延在する。リブ付き本体部分（１３２、１３４）は、導波管（１８０）の可撓性部分（１６６）のフランジ（１３６、１３８）間に長手方向に位置付けられる。いくつかの変形例では、リブ付き本体部分（１３２、１３４）は、導波管（１８０）の可撓性部分（１６６）周りに互いにスナップ嵌めされる。リブ付き本体部分（１３２、１３４）は、関節運動部（１３０）が関節運動状態を達成するために屈曲するときに導波管（１８０）の可撓性部分（１６６）で屈曲するように、構成される。
【００２６】
図３は、リブ付き本体部分（１３２、１３４）をより詳細に示す。本実施例では、リブ付き本体部分（１３２、１３４）は可撓性プラスチック材料から形成されるが、任意の他の好適な材料が使用され得ることを理解されたい。リブ付き本体部分（１３２）は、リブ付き本体部分（１３２）の横方向屈曲を促進するように構成される、１組の３つのリブ（１５０）を含む。当然のことながら、任意の他の好適な数のリブ（１５０）が設けられてよい。リブ付き本体部分（１３２）はまた、関節運動バンド（１４０）をリブ付き本体部分（１３２）に対して摺動可能にしながら、関節運動バンド（１４０）を収容するように構成されている、チャネル（１３５）をも画定する。同様に、リブ付き本体部分（１３４）は、リブ付き本体部分（１３４）の横方向屈曲を促進するように構成される、１組の３つのリブ（１５２）を含む。当然のことながら、任意の他の好適な数のリブ（１５２）が設けられてよい。リブ付き本体部分（１３４）はまた、関節運動バンド（１４２）をリブ付き本体部分（１４２）に対して摺動可能にしながら、関節運動バンド（１３７）を収容するように構成されている、チャネル（１３７）をも画定する。
【００２７】
図５に最もよく示すように、リブ付き本体部分（１３２、１３４）は、関節運動バンド（１４０、１４２）と導波管（１８０）の可撓性部分（１６６）との間に横方向に介在する。リブ付き本体部分（１３２、１３４）は、導波管（１８０）に接触せずに導波管（１８０）の可撓性部分（１６６）を収容するような大きさを有する内部通路を共に画定するように、互いに嵌合する。加えて、リブ付き本体部分（１３２、１３４）が互いに連結されるとき、リブ付き本体部分（１３２、１３４）内に形成される一対の相補的な遠位ノッチ（１３１Ａ、１３１Ｂ）が整列して、遠位外部シース（３３）の内方に突出する一対の弾性タブ（３８）を収容する。タブ（３８）とノッチ（１３１Ａ、１３１Ｂ）との間のこの係合は、遠位外部シース（３３）に対してリブ付き本体部分（１３２、１３４）を長手方向に固定する。同様に、リブ付き本体部分（１３２、１３４）が互いに連結されるとき、リブ付き本体部分（１３２、１３４）内に形成される一対の相補的な近位ノッチ（１３９Ａ、１３９Ｂ）が整列して、近位外部シース（３２）の内方に突出する一対の弾性タブ（３７）を収容する。タブ（３７）とノッチ（１３９Ａ、１３９Ｂ）との間のこの係合は、近位外部シース（３２）に対してリブ付き本体部分（１３２、１３４）を長手方向に固定する。当然のことながら、任意の他の好適な種類の機構を使用して、リブ付き本体部分（１３２、１３４）を近位外部シース（３２）及び／又は遠位外部シース（３３）と連結することができる。
【００２８】
関節運動バンド（１４０、１４２）の遠位端は、上部遠位シャフト要素（１７２）に一体型に固定される。関節運動バンド（１４０、１４２）が長手方向反対向きに並進するとき、これは、関節運動部（１３０）を屈曲させ、それによって、エンドエフェクタ（４０）を、図６Ａに示される直線的な構成から図６Ｂに示される関節運動した構成に、シャフトアセンブリ（３０）の長手方向軸から離れて横方向に偏向させる。具体的には、エンドエフェクタ（４０）は、近位に引かれている関節運動バンド（１４０、１４２）の方に関節運動することになる。かかる関節運動中、他方の関節運動バンド（１４０、１４２）は、上部遠位シャフト要素（１７２）によって遠位に引かれ得る。代替的に、他方の関節運動バンド（１４０、１４２）は、関節運動制御によって遠位に駆動されてもよい。リブ付き本体部分（１３２、１３４）及び狭窄部（１６４）は全て、エンドエフェクタ（４０）の上記の関節運動に対応するのに十分に可撓性である。更に、可撓性音響導波管（１６６）は、関節運動部（１３０）が図６Ｂに示されるような関節運動状態にあるときでも、導波管（１８０）からブレード（１６０）に超音波振動を効率的に伝達するように構成されている。
【００２９】
図３に最もよく示すように、導波管（１８０）の各フランジ（１３６、１３８）は、対応する一対の対向する平面（１９２、１９６）を含む。平面（１９２、１９６）は、可撓性部分（１６６）の狭窄部（１６４）を通って延在する垂直面に平行である垂直面に沿って配向される。平面（１９２、１９６）は、関節運動バンド（１４０、１４２）のための隙間を提供するように構成されている。具体的には、近位フランジ（１３８）の平面（１９６）は、近位フランジ（１３８）と近位外部シース（３２）の内径との間に関節運動バンド（１４０、１４２）を収容し、一方、遠位フランジ（１３６）の平面（１９２）は、遠位フランジ（１３６）と遠位外部シース（３３）の内径との間に関節運動バンド（１４０、１４２）を収容する。当然のことながら、平面（１９２、１９６）は、任意の好適な種類の外形（例えば、正方形、平面、円形など）を有する、スロット、チャネルなどが挙げられるが、これらに限定されない様々な機構で置き換えることができる。本実施例では、平面（１９２、１９６）は切削法で形成されるが、任意の他の好適な方法（単数又は複数）を使用し得ることを理解されたい。平面（１９２、１９６）を形成する種々の好適な代替構成及び方法は、本明細書の教示を考慮することで当業者に明らかであろう。また、導波管（１８０）が、その開示が本明細書において参照により組み込まれる、２０１３年４月２３日出願の「Ｕｌｔｒａｓｏｎｉｃ  Ｄｅｖｉｃｅ  ｆｏｒ  Ｃｕｔｔｉｎｇ  ａｎｄ  Ｃｏａｇｕｌａｔｉｎｇ」と題される米国特許出願公開第２０１３／０２８９５９２号の教示の少なくともいくつかに従って形成される平面を含んでよいことも理解されたい。
【００３０】
本実施例では、外側リング（１３３）は、３つのリング（１３３）が３つのリブ（１５０、１５２）に対して提供されるように、リブ（１５０、１５２）に対応する長手方向位置に位置付けられる。関節運動バンド（１４０）は、リング（１３３）とリブ付き本体部分（１３２）との間のチャネル（１３５）内に横方向に介在し、一方、関節運動バンド（１４２）は、リング（１３３）とリブ付き本体部分（１３４）との間のチャネル（１３７）内に横方向に介在する。リング（１３３）は、特に関節運動部（１３０）が（例えば、図６Ｂに示される構成のような）屈曲構成にあるとき、関節運動バンド（１４０、１４２）を平行関係に維持するように構成されている。換言すれば、関節運動バンド（１４０）が、屈曲した関節運動部（１３０）によって呈される曲線形状の内径上にあるとき、リング（１３３）は、関節運動バンド（１４０）が、関節運動バンド（１４２）が沿う曲線状経路を補完する曲線状経路に沿うように、関節運動バンド（１４０）を保持することができる。チャネル（１３５、１３７）は、リブ付き本体部分（１５０、１５２）に固定されているリング（１３３）を伴ってさえも、関節運動バンド（１４０、１４２）が、関節運動部（１３０）を通って、依然として自由に摺動することができるように、それぞれの関節運動バンド（１４０、１４２）を収容するような大きさを有することを理解されたい。また、リング（１３３）が、締まり嵌め、接着、溶接などが挙げられるがこれらに限定されない種々の方法で、リブ付き本体部分（１３２、１３４）に固定され得ることも理解されたい。
【００３１】
関節運動バンド（１４０、１４２）が長手方向反対向きに並進するとき、モーメントが生まれ、上部遠位シャフト要素（１７２）を介して遠位外部シース（３３）の遠位端に適用される。これによって、関節運動バンド（１４０、１４２）中の軸方向の力を導波管（１８０）に伝えることなく、導波管（１８０）の可撓性部分（１６６）の関節運動部（１３０）及び狭窄部（１６４）を関節運動させる。一方の関節運動バンド（１４０、１４２）は能動的に遠位に駆動され得るが、他方の関節運動バンド（１４０、１４２）は受動的に近位に後退可能であることを理解されたい。別の単なる例示的な例として、一方の関節運動バンド（１４０、１４２）は能動的に近位に駆動され得るが、他方の関節運動バンド（１４０、１４２）は受動的に遠位に前進可能である。更に別の単なる例示的な例として、一方の関節運動バンド（１４０、１４２）は能動的に遠位に駆動され得るが、他方の関節運動バンド（１４０、１４２）は能動的に近位に駆動される。関節運動バンド（１４０、１４２）が駆動され得る種々の好適な方法は、本明細書の教示を考慮することで当業者に明らかであろう。
【００３２】
図９に最もよく示すように、関節運動制御アセンブリ（１００）は、外部シース（３２）の近位部分に固定されている。関節運動制御アセンブリ（１００）は、ハウジング（１１０）と、回転可能な関節運動制御ノブ（１２０）の形態をとる関節運動制御部材とを備えている。本明細書に説明されるように、例示的な関節運動制御アセンブリ（１００）と、詳細に上述した例示的な回転制御アセンブリ（１０２）とにより、シャフト制御アセンブリ（９８）が画定される。ハウジング（１１０）は、一対の垂直に交差する円筒形部分（１１２、１１４）を備えている。ノブ（１２０）は、ノブ（１２０）がハウジング（１１０）の円筒形部分（１１２）内で回転するように動作可能であるように、ハウジング（１１０）の第１の中空円筒形部分（１１２）内に回転可能に設けられる。シャフトアセンブリ（３０）は、中空状の第２の円筒形部分（１１４）内に摺動可能かつ回転可能に設けられる。シャフトアセンブリ（３０）は一対の並進可能部材（１６１、１６２）を備え、これらの両方とも、外部シース（３２）の近位部分を通って摺動可能に長手方向に延在する。並進可能部材（１６１、１６２）は、遠位位置と近位位置との間の第２の円筒形部分（１１４）内で長手方向に並進可能である。並進可能部材（１６１、１６２）は、並進可能部材（１６１）の長手方向の並進が関節運動バンド（１４０）の長手方向の並進をもたらすように、かつ並進可能部材（１６２）の長手方向の並進が関節運動バンド（１４２）の長手方向の並進をもたらすように、それぞれの関節運動バンド（１４０、１４２）と機械的に連結される。
【００３３】
ノブ（１２０）は、ノブ（１２０）の底面から下方に延在する一対のピン（１２２、１２４）を備える。ピン（１２２、１２４）はハウジング（１１０）の第２の円筒形部分（１１４）内に延在し、並進可能部材（１６１、１６２）の上面に形成されたそれぞれの一対のチャネル（１６３Ａ、１６３Ｂ）内に回転可能かつ摺動可能に設けられる。チャネル（１６３Ａ、１６３Ｂ）は、ノブ（１２０）の回転軸の両側に位置決められ、これにより、ノブ（１２０）をその回転軸の周囲で回転させると、並進可能部材（１６１、１６２）は対向する長手方向に並進する。例えば、第１の方向へのノブ（１２０）の回転は、並進可能部材（１６１）及び関節運動バンド（１４０）の遠位長手方向の並進、並びに並進可能部材（１６２）及び関節運動バンド（１４２）の近位長手方向の並進をもたらし、第２の方向へのノブ（１２０）の回転は、並進可能部材（１６１）及び関節運動バンド（１４０）の近位長手方向の並進、並びに並進可能部材（１６２）及び関節運動バンド（１４２）の遠位長手方向の並進をもたらす。このため、回転ノブ（１２０）の回転は、関節運動部（１３０）の関節運動をもたらすことを理解されたい。
【００３４】
関節運動制御アセンブリ（１００）のハウジング（１１０）は、第１の円筒形部分（１１２）の内面から内方に延在する一対の止めネジ（１１１、１１３）を備える。ノブ（１２０）は、ハウジング（１１０）の第１の円筒形部分（１１２）内に回転可能に設けられ、止めネジ（１１１、１１３）は、ノブ（１２０）内に形成された一対の弓状チャネル（１２１、１２３）内に摺動可能に設けられる。このため、ノブ（１２０）の回転はチャネル（１２１、１２３）内の止めネジ（１１１、１１３）の移動により制限されることを理解されたい。また、止めネジ（１１１、１１３）は、ハウジング（１１０）内にノブ（１２０）を保持し、ノブ（１２０）がハウジング（１１０）の第１の円筒形部分（１１２）内で垂直に移動することを防止する。
【００３５】
ハウジング（１１０）の第１の円筒形部分（１１２）の内面は、第１の円筒形部分（１１２）の内面内に形成された第１の歯群角度付き配列（１１６）及び第２の歯群角度付き配列（１１８）を備える。回転ノブ（１２０）は、第１の円筒形部分（１１２）の歯群（１１６、１１８）に戻り止めの関係で係合し、それによって、ノブ（１２０）を特定の回転位置に選択的にロックするように構成された、一対の外方に延出する係合部材（１２６、１２８）を備える。係合部材（１２６、１２８）と歯群（１１６、１１８）との係合は、使用者がノブ（１２０）に十分な回転力を付与することによって克服され得るが、かかる力がない場合、この係合は、関節運動部（１３０）の真っ直ぐな構成又は関節運動した構成を維持するのに十分である。したがって、ノブ（１２０）を特定の回転位置に選択的にロックする能力により、操作者は、外部シース（３２）によって画定される長手方向軸線に対して、特定の偏向位置に、関節運動部（１３０）を選択的にロックすることができることを理解されたい。
【００３６】
上記構成に加えて又は替えて、関節運動部（１３０）及び／又は関節運動制御アセンブリ（１００）は、２０１５年４月１６日出願の「Ｕｌｔｒａｓｏｎｉｃ  Ｓｕｒｇｉｃａｌ  Ｉｎｓｔｒｕｍｅｎｔ  ｗｉｔｈ  Ｒｉｇｉｄｉｚｉｎｇ  Ａｒｔｉｃｕｌａｔｉｏｎ  Ｄｒｉｖｅ  Ｍｅｍｂｅｒｓ」と題された米国特許出願第１４／６８８，４５８号の教示の内の少なくとも一部に従って構成される及び／又は動作可能であってもよい。あるいは、関節運動部（１３０）及び／又は関節運動制御アセンブリ（１００）は、任意の他の適切な様式で構成及び／又は動作可能であってもよい。
【００３７】
ＩＩ．例示的な代替シャフト制御アセンブリ
外科用器具のいくつかの形態（１０、２１０、３１０、４１０、５１０、７１０、９１０）では、関節運動部（１３０）に選択的に剛性を付与することで、関節運動部（１３０）の不慮の偏向を防ぐように構成された機構を提供するのが望ましいことがある。例えば、製作公差、設計上の制限、材料上の制限、及び／又は他の要因などの様々な要因により、関節運動部（１３０）のいくつかの変形例は、所定の位置で相対的に固定されているにもかかわらず、関節運動部にいくらかの「遊び」又は他の小さい動きが生じやすくなり得、その結果、関節運動部（１３０）は完全には剛性でない。関節運動部（１３０）におけるこのような遊びを低減又は除去することは、特に関節運動部（１３０）が直線の非関節運動構成にあるとき、望ましいことがある。同様に、関節運動制御機構を選択的にロックし、不慮の作動を防止することが望ましくあり得る。このため、関節運動部（１３０）を選択的に剛化する、及び／又はその他手段でロックするような機構が提供され得る。関節運動部（１３０）に剛性を付与する、及び／又はエンドエフェクタ（４０）の不慮の偏向を制限、阻害、若しくは効果的に防止するように構成された機構の様々な例を、以下に詳述する。本明細書の教示に基づいて、他の例も当業者には明らかになるであろう。以下に説明するシャフトアセンブリ及び／又は関節運動部の実施例は、上で述べられるシャフトアセンブリ（３０）と実質的に同様に機能することができることを理解すべきである。したがって、同じ番号は同じ機構を示す。
【００３８】
また、関節運動部（１３０）は、以下に記載される機構を含むように改変される前に少なくともある程度剛性であり得、その結果、以下に記載される機構は、もともと剛性でない関節運動部（１３０）に剛性さを導入するというよりはむしろ、実際には関節運動部（１３０）の剛性を増強するだけであることも理解されたい。例えば、関節運動部（１３０）は、以下の機構がなくても、直線的又は関節運動構造を実質的に維持するのに十分な剛性を有する場合もある。それでも、約１ｍｍ又はその数パーセントの「遊び」（例えば、エンドエフェクタ（４０）により、固定構造に対して横方向に押圧される場合）、関節運動部（１３０）が既に有する剛性を増大させるようにしてもよい。したがって、「剛性を付与する」及び「剛性の付与」などの用語は、ある程度既に存在する剛性を単に増大させることを含むと理解されたい。「剛性を付与する」及び「剛性の付与」という用語は、必ずしも、剛性が「付与される」前に関節運動部（１３０）が剛性を完全に欠いていることを必要とすると読まれるべきではない。
【００３９】
Ａ．ベベルギアを有する伝送アセンブリを備えた例示的な関節運動制御アセンブリ
図１１及び図１２は、その長手方向に延在するシャフトアセンブリ（２１２）と、ハンドルアセンブリ（２１４）と、エンドエフェクタ（４０）と、音響導波管（８０）とを有する、第２の超音波外科用器具（２１０）を示している。上述のように、音響導波管（８０）は、ジェネレータ（１６）と、外科処置中にエンドエフェクタ（４０）を位置決めする関節運動部（１３０）を有するシャフトアセンブリ（２１２）と、に動作可能に接続されている。このために、外科用器具（２１０）はシャフト制御アセンブリ（２１６）を有する。シャフト制御アセンブリ（２１６）は、シャフトアセンブリ（２１２）を、シャフトアセンブリ（２１２）の長手方向軸中心に回転させるように動作可能である。シャフト制御アセンブリ（２１６）はまた、更に関節運動部（１３０）を関節運動させて、エンドエフェクタ（４０）をシャフトアセンブリ（２１２）の長手方向軸から横方向に偏向するようにも動作可能である。
【００４０】
より具体的には、シャフト制御アセンブリ（２１６）は、関節運動部（１３０）に動作可能に接続される関節運動制御アセンブリ（２１８）と、シャフトアセンブリ（２１２）に動作可能に接続される回転制御アセンブリ（２２０）とを有する。制御アセンブリ（２１８，２２０）は、シャフトアセンブリ（２１２）を、対応する関節運動及び回転制御部材（２２２、２２４）を介して選択的に関節運動及び回転させるように、操作者により操作されるように構成されている。関節運動制御アセンブリ（２１８）は更に、関節運動制御部材（２２２）の選択的操作をシャフトアセンブリ（２１２）に伝送して、関節運動部（１３０）を屈曲させるように構成される伝送アセンブリ（２２６）を備えている。シャフトアセンブリ（２１２）に剛性を付与して関節運動部（１３０）の屈曲を阻害するために、関節運動制御アセンブリ（２１８）は、関節運動制御部材（２２２）が操作者に選択的に操作されていないときにはロックするように構成されている。そして、関節運動部（１３０）を屈曲させるために、操作者が選択的に関節運動制御部材（２２２）を操作すると、関節運動制御アセンブリ（２１８）のロックが解除される。
【００４１】
シャフト制御アセンブリ（２１６）の近位部分はハンドルアセンブリ（２１４）のハウジング（２２）に収容され、シャフト制御部アセンブリ（２１６）の遠位部分はハウジング（２２）外のシャフトアセンブリ（２１２）の近位部分に沿って延在している。図１３では、シャフト制御アセンブリ（２１６）の近位部分をより明白に図示するために、ハウジング（２２）の横側部分（不図示）を省略している。本例では、回転及び関節運動制御部材（２２４，２２２）は、それぞれ選択的回転可能回転制御ノブ（２２４）及び選択的回転可能関節運動制御ノブ（２２２）の形態をとる。回転制御ノブ（２２４）は、シャフトアセンブリ（２１２）の長手方向軸に沿って延在し、長手方向軸を中心に回転するように構成されている。一方、関節運動制御ノブ（２２２）は横方向軸に沿って延在し、横方向軸を中心に回転するように構成されている。したがって、回転及び関節運動制御ノブ（２２４，２２２）は、互いに直交するそれぞれの軸周りに回転する。
【００４２】
制御ノブ（２２４，２２２）もまた、ハンドルアセンブリ（２１４）のトリガ（２８）の近位に配置されるため、操作者はトリガ（２８）、回転制御ノブ（２２４）、及び関節運動制御ノブ（２２２）に同時にアクセスして操作することができる。本例では、関節運動制御ノブ（２２２）は、回転制御ノブ（２２４）とトリガ（２８）との間に横方向に配置されるノブスロット（２２８）内に収容される（図２１Ａを参照）。関節運動制御ノブ（２２２）を回転可能にハンドルアセンブリ（２１４）に取り付けることについては、図２１Ａを参照して以下により詳細に説明する。上述の構成では、回転及び関節運動制御ノブ（２２４，２２２）がトリガ（２８）の近位に配置された状態で、例示的なシャフト制御アセンブリ（２１６）を少なくとも部分的にハンドルアセンブリ（２１４）内に配置しているが、シャフト制御アセンブリ（２１６）の１つ以上の部位が、シャフトアセンブリ（２１２）との動作可能な接続のために代替的に配置されてもよいことを理解されたい。したがって、本発明は本明細書に記載されるシャフト制御アセンブリ（２１６）の具体的な配向、配置に不必要に限定することを意図していない。
【００４３】
図１４及び図１５は、シャフト制御アセンブリ（２１６）と、対応する関節運動バンド（１４０、１４２）に延在し、シャフトアセンブリ（３０）について上述したように（図３を参照）シャフトアセンブリ（２１６）に沿った関節運動を導く一組の並進可能部材（２３０、２３２）とを示している。並進可能部材（２３０、２３２）は少なくとも、それぞれ対応するピン（２３８、２４０）を収容するように、並進可能部材（２３０、２３２）を横方向に貫通する長手方向スロット（２３４，２３６）を有する点で、並進可能部材（１６１、１６２）と異なる。ピン（２３８、２４０）は回転制御ノブ（２２４）のピン孔（２４２）を貫通して延在し、ピン（２３８、２４０）が回転制御ノブ（２２４）を並進可能部材（２３０、２３２）に固定する。したがって、操作者が選択的に回転制御ノブ（２２４）を回転すると、回転制御ノブ（２２４）は、外科用器具（１０）について上述したとおり、並進可能部材（２３０、２３２）と、シャフトアセンブリ（２１２）のその他の関連部位を回転させる（図１を参照）。回転制御アセンブリ（２２０）の追加構成要素については、以下により詳述する。
【００４４】
伝送アセンブリ（２２６）は、関節運動制御ノブ（２２２）を介した操作者からの回転入力等の動きをシャフトアセンブリ（２１２）に伝送して、関節運動部（１３０）を関節運動させるように構成されている（図１１参照）。伝送アセンブリ（２２６）は、図１５〜図１８に示すように、ベベル駆動ギア（２４６）と、ベベル従動ギア（２４８）の形態をとる駆動ギアを含む。本例では、ベベル駆動ギア（２４６）は、横方向軸に沿って延在して、操作者に選択的に操作される剛性駆動シャフト（２５０）に固定される。それにより、ベベル駆動ギア（２４６）はまた、横方向軸を中心に回転する。ベベル駆動ギア（２４６）はベベル従動ギア（２４８）に係合し、各ギア（２４６、２４８）の複数の歯同士が噛合して、ギア間に駆動力を伝送する。ベベル従動ギア（２４８）は、ドラム（２５２）の近位端に固定されて、それぞれ長手方向軸を取り囲み、当該軸を中心に回転するように構成されている。ベベル駆動ギア（２４６）及びベベル従動ギア（２４８）は、操作者による横方向軸中心の回転入力を、ドラム（２５２）の長手方向軸中心の回転に転換するように構成されている。ベベルギア（２４６、２４８）の構成は、この回転を９０度転換してドラム（２５２）を駆動するように構成されているが、代替の構成が、代替の配向でのそのような動きを、異なる配置のドラム（２５２）、及び／又は関節運動制御ノブが収容されるように、転換され得ることが理解されよう。更に、本例の関節運動制御ノブ（２２２）は、概して、互いに角度をあけて、放射状に外側に延在する複数の突起を有する車輪のような形状を有する。当該車輪形状は、回転や関節運動を示すのに便利であり得、複数の突起には、操作者がより強く把持できるように構成されたものであり得る。但し、関節運動制御ノブ（２２２）は、操作者により把持、回転されるための様々な形状及び大きさを有してもよいことが理解されよう。
【００４５】
図１６〜図１７及び図１９〜図２０に示すように、関節運動制御アセンブリ（２１６）は更に、フレーム（２５３）と、ドラム（２５２）に収容されてドラム（２５２）の回転を親ネジ（２５４、２５６）の直線運動に変換して、関節運動部（１３０）に関節運動をさせる、近位親ネジ（２５４）及び遠位親ネジ（２５６）とを有する（図１１を参照）。本例では、フレーム（２５３）は略平行かつ互いに離間した、それぞれ対応する凹部（２６０）に収容される、一組の長手方向ツメ（２５８）を有する。ツメ（２５８）は、近位及び遠位親ネジ（２５４、２５６）の回転を防止しながら、親ネジ（２５４、２５６）の長手方向に沿った並進を可能とするように構成されている。ドラム（２１６）の回転により、親ネジ（２５４、２５６）が並進する。より具体的には、近位親ネジ（２５４）は近位内部ネジ山（２６２）に螺合係合し、遠位親ネジ（２５６）は遠位内部ネジ山（２６４）に螺合係合する。近位及び遠位内部ネジ山（２６２、２６４）は、互いにピッチが異なるため、ドラム（２５２）の回転により、近位及び遠位親ネジ（２５４、２５６）は同時に反対方向に並進する。
【００４６】
更に、親ネジ（２５４、２５６）はそれぞれ対応するテンショナ（２６６）を介して、並進可能部材（２３０、２３２）に接続される。各テンショナ（２６６）は、それぞれ対応する並進可能部材（２３０、２３２）に係合して、並進可能部材（２３０、２３２）の、関節運動制御ノブ（２２２）を介した長手方向軸に沿った遠位側、近位側への移動を導く鍵部（２６８）を有する。但し、各テンショナ（２６６）はまた、環状チャネル（２７０）内で、それぞれ対応する親ネジ（２５４、２５６）を回転可能に収納する。これにより、各親ネジ（２５４、２５６）とドラム（２５２）とが、シャフトアセンブリ（２１２）回転時に、関節運動に影響を与えることなく、回転制御ノブ（２２４）を介して回転するように一体的に構成される。一例として、各テンショナ（２６６）は、鍵部（２６８）を有するＣ字状要素（２７２）と、環状要素（２７４）とにより画定される。上記に加えて、ドラム（２５２）、親ネジ（２５４、２５６）、及びその他関節運動制御アセンブリ（２１８）の機構は、２０１５年４月１６日出願の「Ｕｌｔｒａｓｏｎｉｃ  Ｓｕｒｇｉｃａｌ  Ｉｎｓｔｒｕｍｅｎｔ  ｗｉｔｈ  Ｏｐｐｏｓｉｎｇ  Ｔｈｒｅａｄ  Ｄｒｉｖｅ  ｆｏｒ  Ｅｎｄ  Ｅｆｆｅｃｔｏｒ  Ａｒｔｉｃｕｌａｔｉｏｎ」と題された米国特許出願第１４／６８８，６６３号の教示の少なくとも一部に従って構成され、動作可能であってもよい。
【００４７】
図２１Ａは、関節運動制御アセンブリ（２１８）が直線位置にあり、シャフトアセンブリ（２１２）が直線構成となる状態のハンドルアセンブリ（２１４）の遠位端部を示している。前段にて簡潔に触れたように、関節運動制御ノブ（２２２）の一部分がノブスロット（２２８）から遠位側に突出するように、関節運動制御ノブ（２２２）はノブスロット（２２８）に収容される。より具体的には、関節運動制御ノブ（２２２）は、上側取付シャフト（２７６）と、反対側の下側取付シャフト（２７８）を有する。これらシャフトは、関節運動制御ノブ（２２２）の横方向軸に沿って、互いに反対方向に延在する。上側及び下側取付シャフト（２７６、２７８）はそれぞれ、ハウジング（２２）の上側及び下側円筒形取付チャネル（２８０、２８２）にそれぞれ回転可能に収容される。これにより、関節運動制御ノブ（２２２）がハウジング（２２）に並進可能に取り付けられる。剛性駆動シャフト（２５０）は、伝送アセンブリ（２２６）を選択的に駆動するために、上側取付シャフト（２７６）からベベル駆動ギア（２４６）へ上方に延在する。
【００４８】
一方、関節運動制御ノブ（２２２）は、伝送アセンブリ（２２６）を介して関節運動部（１３０）を関節運動させるように、操作者により選択的に回転されてもよい（図１１を参照）。他方で、伝送アセンブリ（２２６）は、関節運動制御ノブ（２２２）が回転していないときには伝送アセンブリ（２２６）の動作がロックされて、関節運動制御アセンブリ（２１８）の不慮の関節運動を防止するように構成されている。即ち、関節運動制御ノブ（２２２）の回転は関節運動制御アセンブリ（２１８）を効果的に回転解除し、それ以外の場合では、伝送アセンブリ（２２６）は関節運動部（１３０）の関節運動を効果的にロックする（図１１を参照）。一例として、ドラム（２５２）を回転する機械的利点が十分であれば、親ネジ（２５４、２５６）はシャフトアセンブリ（２１２）を介した動力の付与で並進され得ない可能性があるため、伝送アセンブリ（２２６）がロックされる。しかし、ドラム（２５２）を、関節運動制御ノブ（２２２）を介して回転すれば、親ネジ（２５４、２５６）に対する機械的利点を十分に有して動きのロックが解除され、親ネジ（２５４、２５６）が並進し、その結果、関節運動部（１３０）が関節運動する（図１１を参照）。
【００４９】
図２１Ｂ及び図２１Ｃはそれぞれ、関節運動部（１３０）（図１１を参照）が右及び左に関節運動した構成で関節運動制御アセンブリ（２１８）が右及び左に配置された状態を示す。図２２Ａの直線配置から、操作者は関節運動制御ノブ（２２２）を時計回り（操作者が上側から見た場合）に回転させて、ベベル駆動ギア（２４６）を同様に回転させる。ベベル駆動ギア（２４６）は、ベベル従動ギア（２４８）と、固く取り付けられたドラム（２５２）とを回転させる。ドラム（２５２）が反時計回り（その近位側にいる操作者から見た場合）に回転すると、遠位親ネジ（２５６）は遠位側に移動する一方で、近位親ネジ（２５４）は近位側に移動する。したがって、遠位及び近位親ネジ（２５６、２５４）は、並進可能部材（２３０、２３２）を誘導して、関節運動部を長手方向軸に対して横方向右側に関節運動させて、シャフトアセンブリ（２１２）を屈曲させる。
【００５０】
図２２Ａの直線配置から、操作者は関節運動制御ノブ（２２２）を反時計回り（操作者が上側から見た場合）に回転させて、ベベル駆動ギア（２４６）を同様に回転させる。ベベル駆動ギア（２４６）は、ベベル従動ギア（２４８）と、固く取り付けられたドラム（２５２）とを回転させる。ドラム（２５２）が時計回り（その近位側にいる操作者から見た場合）に回転すると、遠位親ネジ（２５６）は近位側に移動し、遠位親ネジ（２５４）は遠位側に移動する。したがって、遠位及び近位親ネジ（２５６、２５４）は、並進可能部材（２３０、２３２）を誘導して、関節運動部を長手方向軸に対して横方向左側に関節運動させて、シャフトアセンブリ（２１２）を屈曲させる。
【００５１】
Ｂ．ロック用関節運動制御ノブと、弾力性駆動シャフトとを有する、例示的な関節運動制御アセンブリ
図２２Ａ〜図２３Ｂは、シャフトアセンブリ（２１２）と、ハンドルアセンブリ（２１４）と、シャフト制御アセンブリ（３１６）とを有する第３の超音波外科用器具（３１０）を示している。シャフト制御アセンブリ（３１６）は、上述の回転制御アセンブリ（２２０）と、関節運動制御アセンブリ（３１８）とを有する。概して、関節運動制御アセンブリ（３１８）は、関節運動制御アセンブリ（２１８）と同様の、ベベル駆動及び従動ギア（２４８、２５０）を有する伝送アセンブリ（２２６）を備えるが、更に関節運動制御ロック（３８４）をも備える。当該ロックは、関節運動制御ノブ（２２２）をハウジング（２２）に直接固定して、関節運動部（１３０）の関節運動を防止するものである（図１１を参照）。
【００５２】
このため、ハウジング（２２）は、細長下側取付チャネル（３８２）を有し、関節運動制御アセンブリ（３１８）は弾力性駆動シャフト（３５０）を有する。弾力性駆動シャフト（３５０）は、関節運動ロック状態となるように付勢されて、関節運動ロック解除状態に選択的に移動される。本明細書に記載するように、関節運動ロック状態では関節運動を阻害し、関節運動ロック解除状態では関節運動を可能とする。本例では、関節運動制御ロック（３８４）は、遠位チャネル端（３８８）から近位側に延在するチャネル歯（３８６）と、下側取付シャフト（２７８）から放射状に突出する複数のシャフト歯（３９０）とを含む。チャネル及びシャフト歯（３８６、３９０）は、弾性駆動シャフト（３５０）を介して重なり、連結等により互いに係合することで、図２２Ａ及び図２３Ａに示す関節運動ロック状態で、互いの相対回転を阻害する。具体的には、弾性駆動シャフト（３５０）は、シャフト歯（３９０）を遠位側に付勢して、チャネル歯（３８６）に係合させるが、これは、関節運動制御ノブ（２２２）がベベル駆動ギア（２４８）から下方に効果的に片持ち状になっていることによる。
【００５３】
使用時では、操作者が関節運動制御ノブ（２２２）を近位側に動かすことで、チャネル及びシャフト歯（３８６、３９０）が係合解除され、前段でより詳細に説明したとおり、シャフトアセンブリ（２１２）を屈曲させるための相対回転を可能とする。図２２Ｂ及び図２３Ｂは、関節運動ロック解除状態で、近位側に移動したシャフト歯（３９０）を示している。例示的な歯（３９０、３８６）、弾性駆動シャフト（３５０）、細長下側取付チャネル（３８２）が協働して、１つの例示的な関節運動制御ロック（３８４）を実現しているが、関節運動制御ノブ（２２２）のハウジング（２２）に対する回転を直接ロックするように、代替のロック機構が協働してもよい。したがって、本明細書に記載されている本発明は、例示的な関節運動制御ロック（３８４）不必要に制限されることを意図していない。
【００５４】
Ｃ．関節運動ロック制御ノブと弾性取付駆動シャフトとを有する例示的な関節運動制御アセンブリ
図２４Ａ〜図２４Ｂは、シャフトアセンブリ（２１２）と、ハンドルアセンブリ（２１４）と、シャフト制御アセンブリ（４１６）とを備える、第４の例示的な外科用器具（４１０）を示している。シャフト制御アセンブリ（４１６）は、上述の回転制御アセンブリ（２２０）と、関節運動制御アセンブリ（４１８）とを有する。関節運動制御アセンブリ（４１８）は、伝送アセンブリ（２２６）と同様の伝送アセンブリ（４２６）を有する（図２１Ａを参照）が、関節運動制御ロック（４８４）をロック及びロック解除するために、後述のように選択的に係合及び係合解除されるように構成されたベベル駆動ギア（４４６）と剛性駆動シャフト（４５０）とが設けられている。更に、関節運動制御ロック（４８４）はチャネル及びシャフト歯（３８６、３９０）を有する。これらは、互いに向かって付勢されて、関節運動制御ノブ（２２２）を選択的に、関節運動ロック状態から関節運動ロック解除状態に移動させる。本例において、関節運動制御ノブ（２２２）は複数のばね（４９１）で付勢される。しかし、代替の付勢要素が代わりに使用されてもよいことが理解されよう。
【００５５】
下側回転サポート（４９２）は、関節運動制御ノブ（２２２）の下方で横方向に延在する一方で、駆動シャフト（４５０）は関節運動制御ノブ（２２２）の上方で横方向に延在する。下側回転サポート（４９２）と駆動シャフト（４５０）とは遠位側に付勢されて、その間で延在する関節運動制御ノブ（２２２）はチャネル及びシャフト歯（３８６、３９０）が関節運動ロック状態で係合されて、遠位側に並進するように引かれる。使用時では、操作者が関節運動制御ノブ（２２２）を近位側に動かすことでチャネル及びシャフト歯（３８６，３９０）は係合解除され、前段でより詳細に説明したとおり、シャフトアセンブリ（２１２）が屈曲するための相対回転を可能とする。駆動シャフト（４５０）もまた、近位側に移動して、図２４Ｂに示すようにベベル駆動ギア（４４６）を動作可能に係合させる。これにより、ベベル駆動ギア（４４６）と関節運動制御ノブ（２２２）とが横方向軸に対して整列して回転される。例示的な歯（３９０、３８６）、剛性駆動シャフト（４５０）、細長下側取付チャネル（３８２）、及び下側回転サポート（４９２）が協働して、１つの例示的な関節運動制御ロック（４８４）を実現しているが、関節運動制御ノブ（２２２）のハウジング（２２）に対する回転を直接ロックするように、代替のロック機構が協働してもよい。したがって、本明細書に記載されている本発明は、例示的な関節運動制御ロック（４８４）に不必要に制限されることを意図していない。
【００５６】
Ｄ．ロック回転制御ノブを有する例示的な回転制御アセンブリ
図２５〜図３０Ｂは、上述したとおり、概してシャフトアセンブリ（２１２）及びハンドルアセンブリ（２１４）を有する第５の例示的な超音波外科用器具（５１０）を示している。更に、外科用器具（５１０）は、シャフトアセンブリ（２１２）の回転を阻害するためにハウジング（２２）に対して回転制御ノブ（５２４）を直接的にロックするように構成されたロック回転制御アセンブリ（５２０）を備えるシャフト制御アセンブリ（５１６）を有している。回転制御ロック（５９４）は、シャフトアセンブリ（２１２）の回転を阻害するロック回転状態と、操作者がシャフトアセンブリ（２１２）を選択的に回転させることができるロック解除回転状態との間を切り替えるように構成されている。
【００５７】
図２６〜図２７に示すとおり、回転制御ロック（５９４）は、回転制御ノブ（５２４）に、長手方向軸の周りに傾斜して配置され、回転制御ノブ（５２４）を通って半径方向に延びる複数のボタン（５９６）を備えている。各ボタン（５９６）は、それぞれ対応するボタン孔（５９８）に収容され、操作者によって押し込まれるとボタン孔の中に滑り込むように構成されている。本例では、回転制御ロック（５９４）は、回転制御ノブ（５２４）を中心に円周方向に等間隔に配置された６つのボタン（５９６）と６つの対応するボタン孔（５９８）とを有する。このようにして、操作者は、ロック回転状態とロック解除回転状態との間で回転制御ロック（５９４）を操作するためにボタン（５９６）の内の少なくとも１つに容易にアクセスできる。例示的な回転制御ロック（５９４）は回転制御ノブ（５２４）内に支持されたボタン（５９６）を備えるものの、代替的なボタンやスイッチ等、別の形態の作動部材が代わりに使用されてもよいことが理解されよう。更にこれに代わり、これらの作動部材は、ハンドルアセンブリに対してシャフトアセンブリ（２１２）の回転を阻害するためにシャフトアセンブリ（２１２）及びハンドルアセンブリ（２１４）に対して寸法及び／又は位置が決められていてもよい。
【００５８】
回転制御ロック（５９４）は、回転ロックリング（６００）の形状を有する回転ロック部材を更に備えている。一般的に、回転ロックリング（６００）は、ハウジング（２２）と回転制御ノブ（５２４）との間で移動可能に延在し、ハウジング（２２）に対して回転制御ノブ（５２４）を選択的に固定して両者の間の回転を阻害する。回転ロックリング（６００）は長手方向軸中心に延在し、回転制御ノブ（５２４）とシャフトアセンブリ（２１４）との間で同軸上に入れ子状となる。本例では、回転ロックリング（６００）は回転可能にハウジング（２２）に固定され、回転制御ノブ（５２４）と選択的に係合する。これによって、ボタン（５９６）の内の少なくとも１つが押されることにより、回転ロックリング（６００）が回転制御ノブ（５２４）から外れて相対的に回転可能となる。
【００５９】
回転ロックリング（６００）は、回転制御ノブ（５２４）とハウジング（２２）との間に設けられた近位側に配置された環状フランジ（６０２）を備え、これは、それぞれロック回転状態及びロック解除回転状態に対する遠位ロック位置と近位ロック解除位置との間を並進移動するように構成されている。回転ロックリング（６００）はその位置にかかわらず、傾斜して配置され内向きに延在する複数の内側鍵タブ（６０４）によってハウジング（２２）に固定される。各内側鍵タブ（６０４）は、長手方向軸中心に同様に配置され、ハウジング（２２）の遠位端によって画定された外側鍵チャネル（６０６）内に収容される。内側鍵タブ（６０４）と外側鍵チャネル（６０６）は噛み合って、ハウジング（２２）に対する回転ロックリング（６００）の回転を阻害する。
【００６０】
図２７〜図２９に示すように、回転ロックリング（６００）は、解放可能な係合を実現するために、環状フランジ（６０２）から回転制御ノブ（５２４）に向かって遠位側に延在する複数の遠位鍵タブ（６０８）を更に備えている。より詳細には、各遠位鍵タブ（６０８）は、回転制御ノブ（５２４）内に画定されたそれぞれ対応する近位鍵チャネル（６１０）内に収容される。回転ロックリング（６００）が遠位ロック位置にあるとき、遠位鍵タブ（６０８）と近位鍵チャネル（６１０）は選択的に噛み合って、ハウジング（２２）に対して回転ロックリング（６００）に対する回転制御ノブ（５２４）の回転を阻害する。一方、回転ロックリング（６００）が近位ロック解除位置にあるとき、遠位鍵タブ（６０８）は操作者により回転操作されるように近位鍵チャネル（６１０）から引き出される。いくつかの形態では、回転ロックリング（６００）は、ハウジング（２２）と回転ロックリング（６００）との間に配置された圧縮ばね等の付勢部材（不図示）により、遠位ロック位置に付勢される。しかし、回転ロックリング（６００）の付勢には代替の付勢部材を使用してもよいことが理解されよう。
【００６１】
図２９〜図３０Ｂに示すように、各ボタン（５９６）は、回転ロックリングを遠位ロック位置から近位ロック解除位置に誘導するように構成されている。一例として、回転ロックリング（６００）は、環状フランジ（６０２）からボタン（５９６）に延在する環状延長部（６１２）を有する。環状延長部（６１２）は、その遠位端に向かって内側にテーパ状となる遠位環状カム表面（６１４）を有する一方、各ボタン（５９６）は、その遠位端に向かって径方向内側にテーパ状となるボタンカム表面（６１６）を有する。図３０Ａは、遠位環状カム表面（６１４）がボタンカム表面（６１６）に係合された、遠位ロック位置にある回転ロックリング（６００）を示している。
【００６２】
使用時では、図３０Ｂに示すようにボタン（５９６）を径方向内向きに押圧することでボタンカム表面（５１６）を遠位環状カム表面（６１４）に対して摺動させて、回転ロックリングが近位ロック解除位置にくるまで遠位環状カム表面（６１４）を誘導する。このように、操作者は回転制御ロック（５９４）を回転ロック状態から回転ロック解除状態に操作して、シャフトアセンブリ（２１２）を選択的に回転させる。シャフトアセンブリ（２１２）を所望の位置に回転させた後、操作者はボタン（５９６）を離して、ばね（不図示）により回転ロックリング（６００）を遠位ロック位置に戻るように誘導する。これにより、ボタン（５９６）は、回転制御ノブ（５１４）をロックするために、径方向外側に動かされる。
【００６３】
Ｅ．並進関節運動体と、関節運動部の張力を可変とするロックスイッチとを有する、例示的な伝送アセンブリ
図３１Ａ〜図３１Ｃは、シャフトアセンブリ（７１２）が見えるように各種構成要素が省略された状態の、超音波外科用器具の第６の実施形態（７１０）を示している。シャフトアセンブリ（７１２）は、関節運動バンド（１４０、１４２）（図３を参照）と同様であるが、ハンドルアセンブリ（７１４）内へと延在するように長手方向に長くなっている細長関節運動バンド（７１３、７１５）を有する（図３２Ａを参照）。音響導波管（１８０）が、細長関節運動バンド（７１３、７１５）の間でシャフトアセンブリ（７１２）に沿って延在し、エンドエフェクタ（４０）（図１を参照）に動作可能に接続される。
【００６４】
外科用器具（７１０）はまた、伝送アセンブリ（７２６）に接続される関節運動制御ノブ（２２２）を有する、細長関節運動バンド（７１３、７１５）の長手方向移動を選択的に誘導し、上述のように関節運動部（１３０）を関節運動させる（図２参照）関節運動制御アセンブリ（７１８）を有する。ドラム（２５２）、親ネジ（２５４、２５６）、及び図１６に示すその他の各種構成要素の代わりに、図３１Ａに示すアセンブリ（７２６）が、関節運動体（７５２）を有する。関節運動体（７５２）は、シャフトアセンブリ（７１２）を屈曲させるため、横方向軸に沿って、上側位置と、下側位置との間で並進するように構成されている。本明細書に記載するように、シャフト関節運動について、上側位置を左側位置と称してもよく、下側位置を右側位置と称してもよい。これら用語は、例示的な関節運動体（７５２）を横方向軸に沿って並進させることに関して同義として使用でき、本明細書に記載の発明を限定する意図はない。
【００６５】
関節運動制御ノブ（２２２）は、ネジ山付き駆動シャフト（７５０）が、関節運動体（７５２）内のネジ山付き穴（７５３）内に剛性的に上方に延在して（図３２Ａを参照）、ノブスロット（２２８）（図２１Ａを参照）内に回転可能に取り付けられている。したがって、ネジ山付き駆動シャフト（７５０）と関節運動体（７６２）とは動作可能に接続され、関節運動制御ノブ（２２２）の時計回りの回転が関節運動体（７５２）を下側位置に誘導し、関節運動制御ノブ（２２２）の反時計回りの回転が関節運動体（７５２）を上側位置に誘導する。
【００６６】
関節運動バンド（７１３、７１５）は、本例においては概して中空状の関節運動体（７５２）を貫通して延在する。関節運動体（７５２）の互いに対向する側壁は、それぞれカムチャネル（７５４、７５６）を有する。ピン（２３８、２４０）はそれぞれカムチャネル（７５４、７５６）内に収容され、関節運動バンド（７１３、７１５）に係合することで、ピン（２３８、２４０）の長手方向移動が関節運動バンド（７１３、７１５）に伝送される。このため、各カムチャネル（７５４、７５６）は、長手方向と横方向にそれぞれ延在する。但し、カムチャネル（７５４）は長手方向に沿って上方へと遠位側に延在する一方、カムチャネル（７５６）は長手方向に沿って下方へと遠位側に延在する。互いに対向するカムチャネル（７５４、７５６）の中心部は、長手方向軸に対してそれぞれ反対の角度で延在するが、横方向、長手方向に整列している。したがって、ピン（２３８、２４０）は直線構成で直接対向し、各関節運動バンド（７１３、７１５）が長手方向で同位置となる。使用時では、関節運動体（７５２）を、関節運動制御ノブ（２２２）を介して下方に並進させることで、ピン（２３８）とバンド（７１３）とが遠位側に移動する一方で、ピン（２４０）とバンド（７１５）とは近位側に移動して、図３１Ｂに示す左側構成が実現される。対照的に、関節運動体（７５２）を、関節運動制御ノブ（２２２）を介して上方に並進させることでピン（２３８）とバンド（７１３）とが近位側に移動する一方で、ピン（２４０）とバンド（７１５）とは右側構成のために遠位側に移動する。
【００６７】
図３２Ａ〜図３２Ｂもまた、本体テンショナ（８２０）と、ロックスイッチ（８２２）の形態をとる協働ロック部材とを含む関節運動制御ロック（７８４）を有する関節運動制御アセンブリ（７１８）を有する外科用器具（７１０）を示す。前段にて簡潔に触れたように、関節運動バンド（７１３、７１５）に近位側張力をかけると、シャフト位置に係らずシャフトアセンブリ（７１２）がロック及び更に剛化され、関節運動部（１３０）での移動が阻害される（図１１を参照）。しかし、ロックスイッチ（８２２）は、操作者が関節運動制御ノブ（２２２）を介して関節運動部（１３０）（図１１を参照）を関節運動させやすいように、ロック解除して張力を開放するように構成されている。
【００６８】
本例では、本体テンショナ（８２０）は、それぞれ一対のばねマウント（８２６）を介してハウジング（２２）に接続される一対の圧縮ばね（８２４）を含む。ばね（８２４）は、スライダ（８２８）を介して関節運動体（７５２）に接続される。スライダ（８２８）は、関節運動体（７５２）の横方向軸に沿った並進移動に対応するように構成されている。図３２Ａに示す関節運動ロック状態では、ばね（８２４）は、関節運動体（７５２）と関節運動制御ノブ（２２２）とを近位位置に誘導する。したがって、関節運動バンド（７１３、７１５）に張力がかけられ、関節運動制御ノブ（２２２）は少なくとも部分的にハウジング（２２）内で遠位側に隠されて、操作者が関節運動制御ノブ（２２２）にアクセスできなくする。ロックスイッチ（８２２）も比較的近位側の位置に枢動して、ばね（８２４）を近位側に延在可能とする。
【００６９】
使用時には、及び図３２Ｂに示すように、操作者が関節運動部（１３０）（図１１を参照）を関節運動させたければ、ロックスイッチ（８２２）を遠位側に枢動させて、遠位位置に配置する。それにより、ロックスイッチ（８２２）は関節運動体（７５２）と関節運動制御ノブ（２２２）とを遠位側に移動させる。その結果、ばね（８２４）が圧縮され、関節運動ロック解除状態における関節運動バンド（７１３，７１５）内の張力が解放される。関節運動制御ノブ（２２２）もまた、ハウジング（２２）よりも遠位側に延在するため、操作者がよりアクセス、把持しやすくなる。そして、上述のように操作者は関節運動制御ノブ（２２２）を選択的に回転させる。更に、関節運動ロック状態及びロック解除状態における関節運動制御ノブ（２２２）の相対位置とアクセスは、操作者に任意の所定のときに選択された具体的な状態についての指標となり、使い勝手が増す。
【００７０】
Ｆ．関節運動部における可変張力のための結合部材を介して関節運動制御ノブに連結された並進関節運動体を有する例示的な伝送アセンブリ
図３３Ａ〜図３３Ｂは、ハンドルアセンブリ（７１４）、シャフトアセンブリ（７１２）、及び関節運動制御アセンブリ（９１８）を有する、第７の例示的な超音波外科用器具（９１０）を示している。上述の関節運動制御アセンブリ（７１８）（図３２Ａを参照）同様、関節運動制御アセンブリ（９１８）は、関節運動制御ノブ（２２２）と、ネジ山付き駆動シャフト（７５０）と、関節運動体（７５２）と、関節運動制御アセンブリ（９１８）を関節運動ロック状態にロックするための本体テンショナ（８２０）とを有する。更に、関節運動制御アセンブリ（９１８）は、結合部材（１０３０）を有する関節運動制御ロック（９８４）を有する。結合部材（１０３０）は、関節運動制御ノブ（２２２）と関節運動体（７５２）とを動作可能に接続して、関節運動制御ノブ（２２２）が剛性的に接続されるのではなく、選択的に駆動シャフト（７５０）に接続されるようにする。言い換えると、関節運動ロック状態（図３３Ａ）では、関節運動制御ノブ（２２２）は駆動シャフト（７５０）に対して効果的に移動可能となるが、関節運動ロック解除状態（図３３Ｂ）では、関節運動制御ノブ（２２２）は上述のシャフト関節運動のために、駆動シャフト（７５０）に係合する。
【００７１】
本例では、結合部材（１０３０）はハウジング（２２）に回転可能に接続され、ピン（１０３２）を中心に回転するように構成されている。関節運動制御ノブ（２２２）は回転可能に結合部材（１０３０）に接続される下側取付ピン（１０３４）を有し、関節運動体（７５２）は結合部材スロット（１０３８）内に収容される上側取付ピン（１０３６）を有する。関節運動ロック状態では、ばね（８２４）は関節運動体（７５２）を近位側に誘導し、これにより関節運動制御ノブ（２２２）がノブスロット（２２８）から結合部材（１０３０）を介して遠位側に移動して、操作者がアクセスしやすくなる。
【００７２】
図３３Ｂに示すように、操作者はノブスロット（２２８）内で関節運動制御ノブ（２２２）を近位側に移動させ、関節運動のために関節運動制御アセンブリ（９１８）をロック解除する。具体的には、下側取付ピン（１０３４）で生じた近位側移動により、結合部材が上側取付ピン（１０３６）を、結合部材スロット（１０３８）を介して遠位側に引かれる。関節運動制御ノブ（２２２）は、関節運動ロック解除状態で駆動シャフト（７５０）に係合するまで近位側に移動し続ける。本例において、従動ギア（１０４０）は駆動シャフト（７５０）から下方に延在し、駆動ギア（１０４２）は関節運動制御ノブ（２２２）から上方に延在する。駆動及び従動ギア（１０４０、１０４２）は、関節運動ロック解除状態において係合してそれらに沿った回転を伝送するように、及び関節運動ロック状態において係合解除され、関節運動制御ノブ（２２２）が自由に移動可能となるように、構成される。更に、関節運動制御ノブ（２２２）の、ノブスロット（２２８）からの遠位側への突出と、触知可能な自由移動可能状態により、操作者にいつでも具体的な選択状態を示すように構成されて、使い勝手が増す。
【００７３】
Ｇ．関節運動部における張力を増大させる例示的張力連結
図３１Ａ及び図３４Ａ〜図３４Ｃは、単独でも使用可能であるし、本明細書に記載の他の関節運動制御ロックとの併用も可能である、更なる例示的な関節運動制御ロック（１０４４）を示す。関節運動制御ロック（１４４）は、一対のラック（１０４６）と、弾性的に取り付けられて回転可能なピニオン（１０４８）とを有する。ラック（１０４６）は、関節運動バンド（７１３、７１５）が内側で互いに対向する側面により存在し、その間にピニオン（１０４８）が挟まれて、各ラック（１０４６）と同時に係合する。
【００７４】
関節運動ロック状態でのピニオン（１０４８）は、引張ばね（１０５２）等の付勢部材により近位側に引かれる。これにより、ピニオン（１０４８）は同様に関節運動バンド（７１３、７１５）それぞれを近位側に引き、シャフトアセンブリ（７１２）を剛化して、不慮のシャフト偏向を防止する。本例において、引張ばね（１０５２）は可動マウント（１０５４）に、近位に固定される。当該マウントは、関節運動ロック解除状態に到達するまで引張力を低減するように、選択的にピニオン（１０４８）に向かって移動するように構成されている。別の例では、ピニオン（１０４８）は、関節運動制御ノブ（２２２）等の回転可能ノブに接続され、選択的に回転されることで、各関節運動バンド（７１３、７１５）の長手方向移動を誘導してもよい。使用時には、図３４Ａ〜図３４Ｃは、関節運動制御アセンブリの直線構成、右側構成、左側構成をそれぞれ示し、上述のように選択的に駆動されてもよい。
【００７５】
ＩＩＩ．例示的な組み合わせ
以下の実施例は、本明細書の教示を組み合わせるか又は適用することができる、種々の非網羅的な方法に関する。以下の実施例は、本出願における又は本出願の後の出願におけるどの時点でも提示され得る、いずれの請求項の適用範囲をも限定することを目的としたものではない、と理解すべきである。一切の放棄をも意図するものではない。以下の実施例は、単なる例示の目的で与えられるものにすぎない。本明細書の様々な教示は、その他の多くの方法で構成及び適用が可能であると考えられている。また、いくつかの変形形態では、以下の実施例において言及される特定の特徴を省略してよいことも、考えられる。したがって、本発明者又は本発明者の利益の継承者により、後日、そうである旨が明示的に示されない限り、以下に言及される態様又は特徴のいずれも重要なものとして見なされるべきではない。以下に言及される特徴以外の更なる特徴を含む請求項が本出願において、又は本出願に関連する後の出願において示される場合、これらの更なる特徴は、特許性に関連するいずれかの理由により追加されたものとしても、仮定されるべきではない。
【実施例】
【００７６】
（実施例１）
（ａ）長手方向軸を画定するシャフトアセンブリであって、
（ｉ）近位端部と、
（ｉｉ）エンドエフェクタを収容するように構成されている遠位端部と、
（ｉｉｉ）長手方向軸から遠位端部を偏向させるように構成されている関節運動部と、を有する
シャフトアセンブリと、
（ｂ）シャフトアセンブリの近位端部に接続された関節運動制御アセンブリであって、
（ｉ）シャフトアセンブリに対して回転可能に取り付けられ、操作者により選択的に操作されるように構成されている関節運動制御部材と、
（ｉｉ）関節運動制御部材とシャフトアセンブリの関節運動部との間に動作可能に接続され、関節運動制御部材の選択的操作を関節運動部に伝送して、関節運動部を選択的に作動させるように構成されている、伝送アセンブリと、を有する
関節運動制御アセンブリと、を備え、
関節運動制御アセンブリは、関節運動制御部材の選択的操作がなければロックして関節運動部の作動を阻害し、関節運動制御部材が選択的に操作されるとロック解除して関節運動部を作動させるように構成されている、外科用器具。
【００７７】
（実施例２）
伝送アセンブリは、
（Ａ）駆動ギアであって、関節運動制御部材が駆動ギアを回転させるように回転可能となるように、関節運動制御部材に対して固定された駆動ギアと、
（Ｂ）駆動ギアに係合され、関節運動部に動作可能に接続されて、関節運動部を選択的に作動させるように伝送アセンブリの残部に駆動ギアの回転を伝送するように構成されている従動ギアと、を更に有する、実施例１に記載の外科用器具。
【００７８】
（実施例３）
駆動ギアはベベル駆動ギアの形態をとり、従動ギアはベベル従動ギアの形態をとる、実施例２に記載の外科用器具。
【００７９】
（実施例４）
ベベル駆動ギアは、シャフトアセンブリの長手方向軸に交差する軸を中心に回転するように構成され、ベベル従動ギアはシャフトアセンブリの長手方向軸を中心に回転するように構成されている、実施例３に記載の外科用器具。
【００８０】
（実施例５）
伝送アセンブリは、
（Ａ）長手方向軸を中心に回転するように構成され、長手方向軸を中心として設けられた複数の内側ネジ山を有するドラムと、
（Ｂ）複数の内側ネジ山に係合され、ドラムが回転すると、関節運動部が作動するように、長手方向軸に沿って並進するように構成されている、少なくとも１つの親ネジと、を更に有し、
ベベル従動ギアは、関節運動制御がドラムを回転させるように回転可能となるように、ドラムに設置されている、
実施例４に記載の外科用器具。
【００８１】
（実施例６）
少なくとも１つの親ネジは、関節運動制御部材が選択的に操作されていないときにはロックして、関節運動部の作動を阻害し、関節運動制御部材が選択的に操作されるとロック解除して関節運動部を作動させるように構成されている、実施例５に記載の外科用器具。
【００８２】
（実施例７）
関節運動制御部材は伝送アセンブリに対して弾性的に取り付けられて、関節運動ロック状態から関節運動ロック解除状態へと操作されることで関節運動制御アセンブリをそれぞれロック及びロック解除するように構成され、
関節運動制御部材は、関節運動ロック状態に向かって付勢されている、
実施例１から６の内のいずれか１つ以上に記載の外科用器具。
【００８３】
（実施例８）
関節運動制御部材は、駆動シャフトを介して駆動ギアに固定され、駆動シャフトは、関節運動ロック状態から、関節運動ロック解除状態へと弾性的に偏向するように構成されている、実施例７に記載の外科用器具。
【００８４】
（実施例９）
伝送アセンブリは駆動ギアを有し、関節運動制御部材は関節運動ロック状態から関節運動ロック解除状態へと並進するように構成され、関節運動制御部材は、関節運動ロック解除状態では駆動ギアから係合解除され、関節運動制御部材は、関節運動ロック解除状態では駆動ギアと係合する、実施例７及び８のいずれか一方又は両方に記載の外科用器具。
【００８５】
（実施例１０）
少なくとも１つの固定歯を有するハンドルアセンブリを更に備え、
関節運動制御部材は少なくとも１つの別の固定歯を有し、
固定歯は、関節運動ロック状態で係合して関節運動制御部材のハンドルアセンブリに対する回転を阻害し、
固定歯は、関節運動ロック解除状態において係合解除され、関節運動制御部材のハンドルアセンブリに対する回転を提供する、
実施例７から９の内のいずれか１つ以上に記載の外科用器具。
【００８６】
（実施例１１）
伝送アセンブリは、関節運動体を更に有し、
関節運動体は、弾性的に取り付けられ、関節運動ロック状態から関節運動ロック解除状態に移動して関節運動制御アセンブリをそれぞれロック及びロック解除するように構成され、
関節運動体は、関節運動ロック状態に付勢されている、
実施例１から１０の内のいずれか１つ以上に記載の外科用器具。
【００８７】
（実施例１２）
関節運動制御部材は、関節運動体内に螺合されるネジ山付き駆動シャフトを有し、関節運動体は、関節運動制御部材とネジ山付き駆動シャフトが選択的に回転すると、横方向軸に沿って移動して、関節運動部を作動させるように構成されている、実施例１１に記載の外科用器具。
【００８８】
（実施例１３）
伝送アセンブリは、第１の位置と第２の位置との間で選択的に移動するように構成されたロック部材を更に有し、ロック部材は第１の位置において、関節運動体を関節運動ロック状態に付勢可能とし、ロック部材は第２の位置において、関節運動体を関節運動ロック解除状態に動かす、実施例１２に記載の外科用器具。
【００８９】
（実施例１４）
関節運動制御部材は、遠位位置と近位位置との間で操作されるように構成され、
伝送アセンブリは、
（Ａ）関節運動制御部材に固定された駆動ギアと、
（Ｂ）関節運動体に、ネジ山付き駆動シャフトを介して回転可能に接続された従動ギアであって、従動ギアとネジ山付き駆動シャフトとが選択的に回転されると、関節運動体が横方向軸に沿って移動して、関節運動部を作動させるように構成されている、従動ギアと、
（Ｃ）関節運動制御部材を関節運動体に動作可能に結合させる結合部材とを更に有し、
関節運動制御部材は、関節運動ロック状態において、結合部材を介して遠位位置に付勢され、
関節運動制御部材を近位位置に選択的に動かすことは、関節運動体を、結合部材を介して関節運動ロック解除状態に誘導するように構成されたものであり、
駆動ギアは、関節運動制御部材が遠位位置にあるときに従動ギアから係合解除され、
駆動ギアは、関節運動制御部材が近位位置にあるときに従動ギアに係合される、
実施例１１から１３の内のいずれか１つ以上に記載の外科用器具。
【００９０】
（実施例１５）
（ａ）ハンドルアセンブリであって、シャフトアセンブリがハンドルアセンブリから遠位側へと延在し、ハンドルアセンブリに対して、長手方向軸中心に回転するように構成されている、ハンドルアセンブリと、
（ｂ）シャフトアセンブリに接続されている回転制御アセンブリであって、
（ｉ）シャフトアセンブリに接続され、長手方向軸に沿って延在し、長手方向軸を中心に選択的に回転されることで、シャフトアセンブリを長手方向軸を中心に回転させるように構成されている、回転制御部材と、
（ｉｉ）シャフトアセンブリに動作可能に接続され、回転ロック状態と、回転ロック解除状態との間で選択的に移動するように構成され、回転ロック状態に向かって付勢され、回転ロック状態においてはハンドルアセンブリに対するシャフトアセンブリの回転を阻害するように構成され、回転ロック解除状態では、回転制御部材を介し、ハンドルアセンブリに対してシャフトアセンブリを回転可能とする、回転ロックと、を有する回転制御アセンブリと、を更に備える、実施例１から１５の内のいずれか１つ以上に記載の外科用器具。
【００９１】
（実施例１６）
（ａ）ハンドルアセンブリと、
（ｂ）長手方向軸を画定し、ハンドルアセンブリから遠位側に延在するシャフトアセンブリであって、
（ｉ）近位端部と、
（ｉｉ）エンドエフェクタを収容するように構成されている遠位端部と、を有するシャフトアセンブリと、
（ｃ）シャフトアセンブリに接続される回転制御アセンブリであって、
（ｉ）シャフトアセンブリに接続され、長手方向軸に沿って延在し、長手方向軸を中心に選択的に回転されることで、シャフトアセンブリを長手方向軸を中心に回転させるように構成されている、回転制御部材と、
（ｉｉ）シャフトアセンブリに動作可能に接続され、回転ロック状態と、回転ロック解除状態との間で選択的に移動するように構成され、回転ロック状態に向かって付勢され、回転ロック状態においてはハンドルアセンブリに対するシャフトアセンブリの回転を阻害するように構成され、回転ロック解除状態では、回転制御部材を介し、ハンドルアセンブリに対してシャフトアセンブリを回転可能とする、回転ロックと、を有する回転制御アセンブリと、を備える、外科用器具。
【００９２】
（実施例１７）
回転ロックは、回転制御部材を貫通して延在し、回転制御アセンブリを選択的に回転ロック状態から回転ロック解除状態に誘導するように長手方向軸に向かって押し込まれるように構成されている、少なくとも１つのボタンを更に有する、実施例１６に記載の外科用器具。
【００９３】
（実施例１８）
少なくとも１つのボタンは、回転制御部材を貫通して延在し、長手方向軸の周りに傾斜して配置される複数のボタンを含み、ボタンはそれぞれ、回転制御アセンブリを選択的に回転ロック状態から回転ロック解除状態に誘導するように長手方向軸に向かって押し込まれるように構成されている、実施例１７に記載の外科用器具。
【００９４】
（実施例１９）
回転制御アセンブリは、回転制御部材とシャフトアセンブリとの間に、長手方向軸を中心に配置される環状ロックリングを更に有し、環状ロックリングは回転ロック状態に付勢されて、回転制御部材と、ハンドルアセンブリにそれぞれ係合してハンドルアセンブリに対するシャフトアセンブリの回転を阻害し、少なくとも１つのボタンは、環状を、回転制御部材とハンドルアセンブリとの内の少なくとも一方から係合解除するように動かせて、回転制御部材を介して、ハンドルアセンブリに対してシャフトアセンブリを回転可能とするように動作可能である、請求項１７及び１８の一方又は両方に記載の外科用器具。
【００９５】
（実施例２０）
（ａ）長手方向軸を画定し、ハンドルアセンブリから遠位側に延在するシャフトアセンブリであって、
（ｉ）近位端部と、
（ｉｉ）エンドエフェクタを収容するように構成されている遠位端部と、
（ｉｉｉ）長手方向軸から遠位端部を偏向させるように構成されている関節運動部と、を有するシャフトアセンブリと、
（ｂ）シャフトアセンブリの近位端部に接続された関節運動制御アセンブリであって、
（ｉ）シャフトアセンブリに対して回転可能に取り付けられ、操作者により選択的に操作されるように構成されている関節運動制御部材と、
（ｉｉ）関節運動制御部材とシャフトアセンブリの関節運動部との間に動作可能に接続され、関節運動制御部材の選択的操作を関節運動部に伝送して、関節運動部を選択的に作動させるように構成されている伝送アセンブリと、を有する
関節運動制御アセンブリと、を備え、
伝送アセンブリは、
（Ａ）ベベル駆動ギアであって、関節運動制御部材がベベル駆動ギアを回転させるように回転可能となるように、関節運動制御部材に対して固定されたベベル駆動ギアと、
（Ｂ）ベベル駆動ギアに係合され、関節運動部に動作可能に接続されて、関節運動部を選択的に作動させるように伝送アセンブリの残部にベベル駆動ギアの回転を伝送するように構成されているベベル従動ギアと、を有する、外科用器具。
【００９６】
ＩＶ．その他
本明細書に記載される器具のいずれの変形形態も、上述されるものに加えて、又はそれらの代わりに、種々のその他の特徴を含んでもよい、と理解すべきである。実施例のみの目的で、本明細書に記載される器具のいずれもが、本明細書に参考として組み込まれる種々の参考文献のいずれかにおいて開示される種々の特徴の内の、１つ以上を含むことができる。また、多数の方法にて、本明細書の引用文献のいずれかの教示と本明細書の教示とを容易に組み合わせ得るように、本明細書の教示は、本明細書のその他の引用文献のいずれかに記載される器具のいずれにも容易に適用され得る、とも理解すべきである。更に、当業者は、本明細書の種々の教示が電気外科器具、ステープル留め器具、及び他の種類の外科器具に容易に適用され得ることを認識するであろう。本明細書の教示が組み込まれ得るその他の種類の器具が、当業者に明らかであろう。
【００９７】
本明細書に参考として組み込まれると言及されたいかなる特許、公報、又はその他の開示内容も、全体的に又は部分的に、組み込まれた内容が現行の定義、見解、又は本明細書に記載されるその他の開示内容とあくまで矛盾しない範囲でのみ本明細書に組み込まれる、と理解されなければならない。それ自体、また必要な範囲で、本明細書に明瞭に記載される開示内容は、参照により本明細書に組み込まれるあらゆる矛盾する記載に優先するものとする。参照により本明細書に組み込まれるものとするが、既存の定義、記述、又は本明細書に記載される他の開示文献と矛盾する任意の文献、又はそれらの部分は、組み込まれる文献と既存の開示内容との間に矛盾が生じない範囲においてのみ組み込まれるものとする。
【００９８】
上記の装置の変形形態は、医療専門家により行われる従来の治療及び処置における用途のみではなく、ロボット支援された治療及び処置における用途をも有してよい。実施例のみの目的で、本明細書の種々の教示は、ロボット外科用システム、例えばＩｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムなどに容易に組み込まれてよい。同様に、本明細書の種々の教示は、その開示が本明細書に参考として組み込まれる、２００４年８月３１日公開の「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」と題された米国特許第６，７８３，５２４号の種々の教示と容易に組み合わされ得ることを、当業者は理解するであろう。
【００９９】
上記の変形形態は、１回の使用後に廃棄されるように設計されてもよく、又は、それらは複数回使用されるように設計されてもよい。一方又はその両方の場合において、種々の変形形態は、少なくとも１回の使用後に再利用のために再調整されてよい。再調整は、装置の分解工程、それに続く特定の部分の洗浄又は交換工程、及びその後の再組立て工程の、任意の組み合わせを含んでよい。特に、装置のいくつかの変形形態は分解することができ、かつ、装置の任意の数の特定の部品若しくは部分を、任意の組み合わせにて選択的に交換又は取り外してもよい。特定の部品の洗浄及び／又は交換に際して、装置の特定の変形例を、再調整用の施設において、又は手術の直前に使用者により再組み立てして、その後の使用に供することができる。装置の再調整において、分解、洗浄／交換、及び再組立てのための種々の技術を利用することができることを、当業者は理解するであろう。かかる技術の使用、及び結果として得られる再調整された装置は、全て本発明の範囲内にある。
【０１００】
実施例のみの目的で、本明細書に記載される変形形態は、手術の前及び／又は後に滅菌されてもよい。１つの滅菌技術では、装置をプラスチック製又はＴＹＶＥＫ製のバックなどの閉鎖及び密封された容器に入れる。次いで、容器及び装置を、γ線、Ｘ線、又は高エネルギー電子線などの、容器を透過し得る放射線場に置いてよい。放射線は、装置の表面及び容器内の細菌を死滅させ得る。次に、滅菌された装置を、後の使用のために、滅菌容器中で保管してよい。β線若しくはγ線、エチレンオキシド、又は水蒸気が挙げられるがこれらに限定されない、当該技術分野で周知のその他の任意の技術を用いて、装置を滅菌してもよい。
【０１０１】
以上、本発明の種々の実施形態を図示及び説明したが、本発明の範囲から逸脱することなく、当業者による適切な改変により、本明細書に記載される方法及びシステムの更なる適合化を実現することができる。このような可能な改変の内のいくつかについて述べたが、その他の改変も当業者には明らかであろう。例えば、上記の実施例、実施形態、形状、材料、寸法、比率、工程などは例示的なものであって、必須のものではない。したがって、本発明の範囲は、以下の特許請求の範囲の観点から考慮されるべきものであり、本明細書及び図面において図示され、説明された構造及び動作の細部に限定されないものとして、理解されたい。
【０１０２】
〔実施の態様〕
（１）  （ａ）長手方向軸を画定するシャフトアセンブリであって、
（ｉ）近位端部と、
（ｉｉ）エンドエフェクタを収容するように構成されている遠位端部と、
（ｉｉｉ）前記長手方向軸から前記遠位端部を偏向させるように構成されている関節運動部と、を有する
シャフトアセンブリと、
（ｂ）前記シャフトアセンブリの前記近位端部に接続された関節運動制御アセンブリであって、
（ｉ）前記シャフトアセンブリに対して回転可能に取り付けられ、操作者により選択的に操作されるように構成されている関節運動制御部材と、
（ｉｉ）前記関節運動制御部材と前記シャフトアセンブリの前記関節運動部との間に動作可能に接続され、前記関節運動制御部材の選択的操作を前記関節運動部に伝送して、前記関節運動部を選択的に作動させるように構成されている、伝送アセンブリと、を有する
関節運動制御アセンブリと、を備え、
前記関節運動制御アセンブリは、前記関節運動制御部材の選択的操作がなければロックして前記関節運動部の作動を阻害し、前記関節運動制御部材が選択的に操作されるとロック解除して前記関節運動部を作動させるように構成されている、外科用器具。
（２）  前記伝送アセンブリは、
（Ａ）駆動ギアであって、前記関節運動制御部材が前記駆動ギアを回転させるように回転可能となるように、前記関節運動制御部材に対して固定された駆動ギアと、
（Ｂ）前記駆動ギアに係合され、前記関節運動部に動作可能に接続されて、前記関節運動部を選択的に作動させるように前記伝送アセンブリの残部に前記駆動ギアの回転を伝送するように構成されている従動ギアと、を更に有する、実施態様１に記載の外科用器具。
（３）  前記駆動ギアはベベル駆動ギアの形態をとり、前記従動ギアはベベル従動ギアの形態をとる、実施態様２に記載の外科用器具。
（４）  前記ベベル駆動ギアは、前記シャフトアセンブリの前記長手方向軸に交差する軸を中心に回転するように構成され、前記ベベル従動ギアは前記シャフトアセンブリの前記長手方向軸を中心に回転するように構成されている、実施態様３に記載の外科用器具。
（５）  前記伝送アセンブリは、
（Ａ）前記長手方向軸を中心に回転するように構成され、前記長手方向軸を中心として設けられた複数の内側ネジ山を有するドラムと、
（Ｂ）前記複数の内側ネジ山に係合され、前記ドラムが回転すると、前記関節運動部が作動するように、前記長手方向軸に沿って並進するように構成されている、少なくとも１つの親ネジと、を更に有し、
前記ベベル従動ギアは、前記関節運動制御が前記ドラムを回転させるように回転可能となるように、前記ドラムに設置されている、
実施態様４に記載の外科用器具。
【０１０３】
（６）  前記少なくとも１つの親ネジは、前記関節運動制御部材が選択的に操作されていないときにはロックして、前記関節運動部の作動を阻害し、前記関節運動制御部材が選択的に操作されるとロック解除して前記関節運動部を作動させるように構成されている、実施態様５に記載の外科用器具。
（７）  前記関節運動制御部材は前記伝送アセンブリに対して弾性的に取り付けられて、関節運動ロック状態から関節運動ロック解除状態へと操作されることで前記関節運動制御アセンブリをそれぞれロック及びロック解除するように構成され、
前記関節運動制御部材は、前記関節運動ロック状態に向かって付勢されている、
実施態様１に記載の外科用器具。
（８）  前記関節運動制御部材は、駆動シャフトを介して駆動ギアに固定され、前記駆動シャフトは、前記関節運動ロック状態から、前記関節運動ロック解除状態へと弾性的に偏向するように構成されている、実施態様７に記載の外科用器具。
（９）  前記伝送アセンブリは駆動ギアを有し、前記関節運動制御部材は前記関節運動ロック状態から前記関節運動ロック解除状態へと並進するように構成され、前記関節運動制御部材は、前記関節運動ロック解除状態では前記駆動ギアから係合解除され、前記関節運動制御部材は、前記関節運動ロック解除状態では前記駆動ギアと係合する、実施態様７に記載の外科用器具。
（１０）  少なくとも１つの固定歯を有するハンドルアセンブリを更に備え、
前記関節運動制御部材は少なくとも１つの別の固定歯を有し、
前記固定歯は、前記関節運動ロック状態で係合して前記関節運動制御部材の前記ハンドルアセンブリに対する回転を阻害し、
前記固定歯は、前記関節運動ロック解除状態において係合解除され、前記関節運動制御部材の前記ハンドルアセンブリに対する回転を提供する、
実施態様７に記載の外科用器具。
【０１０４】
（１１）  前記伝送アセンブリは、関節運動体を更に有し、
前記関節運動体は、弾性的に取り付けられ、関節運動ロック状態から関節運動ロック解除状態に移動して前記関節運動制御アセンブリをそれぞれロック及びロック解除するように構成され、
前記関節運動体は、前記関節運動ロック状態に付勢されている、
実施態様１に記載の外科用器具。
（１２）  前記関節運動制御部材は、前記関節運動体内に螺合されるネジ山付き駆動シャフトを有し、前記関節運動体は、前記関節運動制御部材と前記ネジ山付き駆動シャフトが選択的に回転すると、横方向軸に沿って移動して、前記関節運動部を作動させるように構成されている、実施態様１１に記載の外科用器具。
（１３）  前記伝送アセンブリは、第１の位置と第２の位置との間で選択的に移動するように構成されたロック部材を更に有し、前記ロック部材は前記第１の位置において、前記関節運動体を前記関節運動ロック状態に付勢可能とし、前記ロック部材は前記第２の位置において、前記関節運動体を前記関節運動ロック解除状態に動かす、実施態様１２に記載の外科用器具。
（１４）  前記関節運動制御部材は、遠位位置と近位位置との間で操作されるように構成され、
前記伝送アセンブリは、
（Ａ）前記関節運動制御部材に固定された駆動ギアと、
（Ｂ）前記関節運動体に、ネジ山付き駆動シャフトを介して回転可能に接続された従動ギアであって、前記従動ギアと前記ネジ山付き駆動シャフトとが選択的に回転されると、前記関節運動体が横方向軸に沿って移動して、前記関節運動部を作動させるように構成されている、従動ギアと、
（Ｃ）前記関節運動制御部材を前記関節運動体に動作可能に結合させる結合部材とを更に有し、
前記関節運動制御部材は、前記関節運動ロック状態において、前記結合部材を介して前記遠位位置に付勢され、
前記関節運動制御部材を前記近位位置に選択的に動かすことは、前記関節運動体を、前記結合部材を介して前記関節運動ロック解除状態に誘導するように構成されたものであり、
前記駆動ギアは、前記関節運動制御部材が前記遠位位置にあるときに前記従動ギアから係合解除され、
前記駆動ギアは、前記関節運動制御部材が前記近位位置にあるときに前記従動ギアに係合される、
実施態様１１に記載の外科用器具。
（１５）  （ａ）ハンドルアセンブリであって、前記シャフトアセンブリが前記ハンドルアセンブリから遠位側へと延在し、前記ハンドルアセンブリに対して、前記長手方向軸を中心に回転するように構成されている、ハンドルアセンブリと、
（ｂ）前記シャフトアセンブリに接続されている回転制御アセンブリであって、
（ｉ）前記シャフトアセンブリに接続され、前記長手方向軸に沿って延在し、前記長手方向軸を中心に選択的に回転されることで、前記シャフトアセンブリを前記長手方向軸を中心に回転させるように構成されている、回転制御部材と、
（ｉｉ）前記シャフトアセンブリに動作可能に接続され、回転ロック状態と、回転ロック解除状態との間で選択的に移動するように構成され、前記回転ロック状態に向かって付勢され、前記回転ロック状態においては前記ハンドルアセンブリに対する前記シャフトアセンブリの回転を阻害するように構成され、前記回転ロック解除状態では、前記回転制御部材を介し、前記ハンドルアセンブリに対して前記シャフトアセンブリを回転可能とする、回転ロックと、を有する回転制御アセンブリと、を更に備える、実施態様１に記載の外科用器具。
【０１０５】
（１６）  （ａ）ハンドルアセンブリと、
（ｂ）長手方向軸を画定し、前記ハンドルアセンブリから遠位側に延在するシャフトアセンブリであって、
（ｉ）近位端部と、
（ｉｉ）エンドエフェクタを収容するように構成されている遠位端部と、を有するシャフトアセンブリと、
（ｃ）前記シャフトアセンブリに接続される回転制御アセンブリであって、
（ｉ）前記シャフトアセンブリに接続され、前記長手方向軸に沿って延在し、前記長手方向軸を中心に選択的に回転されることで、前記シャフトアセンブリを前記長手方向軸を中心に回転させるように構成されている、回転制御部材と、
（ｉｉ）前記シャフトアセンブリに動作可能に接続され、回転ロック状態と、回転ロック解除状態との間で選択的に移動するように構成され、前記回転ロック状態に向かって付勢され、前記回転ロック状態においては前記ハンドルアセンブリに対する前記シャフトアセンブリの回転を阻害するように構成され、前記回転ロック解除状態では、前記回転制御部材を介し、前記ハンドルアセンブリに対して前記シャフトアセンブリを回転可能とする、回転ロックと、を有する回転制御アセンブリと、を備える、外科用器具。
（１７）  前記回転ロックは、前記回転制御部材を貫通して延在し、前記回転制御アセンブリを選択的に前記回転ロック状態から前記回転ロック解除状態に誘導するように前記長手方向軸に向かって押し込まれるように構成されている、少なくとも１つのボタンを更に有する、実施態様１６に記載の外科用器具。
（１８）  前記少なくとも１つのボタンは、前記回転制御部材を貫通して延在し、前記長手方向軸の周りに傾斜して配置される複数のボタンを含み、前記ボタンはそれぞれ、前記回転制御アセンブリを選択的に前記回転ロック状態から前記回転ロック解除状態に誘導するように前記長手方向軸に向かって押し込まれるように構成されている、実施態様１７に記載の外科用器具。
（１９）  前記回転制御アセンブリは、前記回転制御部材と前記シャフトアセンブリとの間に、前記長手方向軸を中心に配置される環状ロックリングを更に有し、前記環状ロックリングは前記回転ロック状態に付勢されて、前記回転制御部材と、前記ハンドルアセンブリにそれぞれ係合して前記ハンドルアセンブリに対する前記シャフトアセンブリの回転を阻害し、前記少なくとも１つのボタンは、前記環状を、前記回転制御部材と前記ハンドルアセンブリとの内の少なくとも一方から係合解除するように動かせて、前記回転制御部材を介して、前記ハンドルアセンブリに対して前記シャフトアセンブリを回転可能とするように動作可能である、実施態様１７に記載の外科用器具。
（２０）  （ａ）長手方向軸を画定し、前記ハンドルアセンブリから遠位側に延在するシャフトアセンブリであって、
（ｉ）近位端部と、
（ｉｉ）エンドエフェクタを収容するように構成されている遠位端部と、
（ｉｉｉ）前記長手方向軸から前記遠位端部を偏向させるように構成されている関節運動部と、を有するシャフトアセンブリと、
（ｂ）前記シャフトアセンブリの前記近位端部に接続された関節運動制御アセンブリであって、
（ｉ）前記シャフトアセンブリに対して回転可能に取り付けられ、操作者により選択的に操作されるように構成されている関節運動制御部材と、
（ｉｉ）前記関節運動制御部材と前記シャフトアセンブリの前記関節運動部との間に動作可能に接続され、前記関節運動制御部材の選択的操作を前記関節運動部に伝送して、前記関節運動部を選択的に作動させるように構成されている伝送アセンブリと、を有する
関節運動制御アセンブリと、を備え、
前記伝送アセンブリは、
（Ａ）ベベル駆動ギアであって、前記関節運動制御部材が前記ベベル駆動ギアを回転させるように回転可能となるように、前記関節運動制御部材に対して固定されたベベル駆動ギアと、
（Ｂ）前記ベベル駆動ギアに係合され、前記関節運動部に動作可能に接続されて、前記関節運動部を選択的に作動させるように前記伝送アセンブリの残部に前記ベベル駆動ギアの回転を伝送するように構成されているベベル従動ギアと、を有する、外科用器具。
【図１】
2019513511.tif 000003
【図２】
2019513511.tif 000004
【図３】
2019513511.tif 000005
【図４】
2019513511.tif 000006
【図５】
2019513511.tif 000007
【図６Ａ】
2019513511.tif 000008
【図６Ｂ】
2019513511.tif 000009
【図７】
2019513511.tif 000010
【図８】
2019513511.tif 000011
【図９】
2019513511.tif 000012
【図１０Ａ】
2019513511.tif 000013
【図１０Ｂ】
2019513511.tif 000014
【図１１】
2019513511.tif 000015
【図１２】
2019513511.tif 000016
【図１３】
2019513511.tif 000017
【図１４】
2019513511.tif 000018
【図１５】
2019513511.tif 000019
【図１６】
2019513511.tif 000020
【図１７】
2019513511.tif 000021
【図１８】
2019513511.tif 000022
【図１９】
2019513511.tif 000023
【図２０】
2019513511.tif 000024
【図２１Ａ】
2019513511.tif 000025
【図２１Ｂ】
2019513511.tif 000026
【図２１Ｃ】
2019513511.tif 000027
【図２２Ａ】
2019513511.tif 000028
【図２２Ｂ】
2019513511.tif 000029
【図２３Ａ】
2019513511.tif 000030
【図２３Ｂ】
2019513511.tif 000031
【図２４Ａ】
2019513511.tif 000032
【図２４Ｂ】
2019513511.tif 000033
【図２５】
2019513511.tif 000034
【図２６】
2019513511.tif 000035
【図２７】
2019513511.tif 000036
【図２８】
2019513511.tif 000037
【図２９】
2019513511.tif 000038
【図３０Ａ】
2019513511.tif 000039
【図３０Ｂ】
2019513511.tif 000040
【図３１Ａ】
2019513511.tif 000041
【図３１Ｂ】
2019513511.tif 000042
【図３１Ｃ】
2019513511.tif 000043
【図３２Ａ】
2019513511.tif 000044
【図３２Ｂ】
2019513511.tif 000045
【図３３Ａ】
2019513511.tif 000046
【図３３Ｂ】
2019513511.tif 000047
【図３４Ａ】
2019513511.tif 000048
【図３４Ｂ】
2019513511.tif 000049
【図３４Ｃ】
2019513511.tif 000050
【国際調査報告】
2019513511.tif 000051
2019513511.tif 000052
2019513511.tif 000053
2019513511.tif 000054
2019513511.tif 000055